(57)【要約】  本発明は、バッファ状態報告のための方法および装置、ならびにコンピュータ記憶媒体を開示し、複製機能が構成またはアクティブ化された無線ベアラに対応する異なる論理チャネルが属する異なる論理チャネルグループに基づいて端末のバッファ状態情報を報告し、データ伝送の信頼性が向上する。本発明によって提供されるバッファ状態報告のための方法は、指定されたリンク上の複製機能が構成またはアクティブ化された任意の無線ベアラについて、前記複製機能が構成またはアクティブ化された無線ベアラに対応する異なる論理チャネルが属する異なる論理チャネルグループを決定するステップと、バッファ状態報告条件が満たされたときに、前記論理チャネルグループのバッファ状態情報に基づいてバッファ状態情報を報告するステップとを備える。
2021513291.tif 000002
【特許請求の範囲】
【請求項１】
指定されたリンク上複製機能が構成またはアクティブ化された任意の無線ベアラＲＢについて、前記複製機能が構成またはアクティブ化されたＲＢに対応する異なる論理チャネルが異なる論理チャネルグループに属することを決定するステップと、
バッファ状態報告条件が満たされたときに、前記論理チャネルグループのバッファ状態情報に基づいてバッファ状態情報を報告するステップとを備える、ことを特徴とするバッファ状態報告のための方法。
【請求項２】
前記リンクは、端末間直接通信リンク（Ｓｉｄｅｌｉｎｋ）または端末からネットワーク側機器への通信リンク（Ｕｕ ｌｉｎｋ）であることを特徴とする請求項１に記載のバッファ状態報告のための方法。
【請求項３】
前記論理チャネルグループに基づいてバッファ状態を報告することは、
複製機能が構成またはアクティブ化されたＲＢに対応する異なる論理チャネルのバッファ状態に基づいて、異なる論理チャネルグループのバッファ状態情報を報告する、ことを特徴とする請求項２に記載のバッファ状態報告のための方法。
【請求項４】
複製機能が構成またはアクティブ化されたＲＢに対応する異なる論理チャネルのバッファ状態異なる論理チャネルグループのバッファ状態情報を報告することは、
Ｕｕ ｌｉｎｋの場合、バッファ状態報告（ＢＳＲ）メディアアクセスコントロール要素（Ｍｅｄｉａ Ａｃｃｅｓｓ Ｃｏｎｔｒｏｌ  Ｃｏｎｔｒｏｌ Ｅｌｅｍｅｎｔ,ＭＡＣ ＣＥ）を送信し、ここで、前記ＢＳＲ ＭＡＣ ＣＥに、決定された前記論理チャネルグループ情報および前記論理チャネルグループに対応するバッファ状態情報が含まれ、
Ｓｉｄｅｌｉｎｋの場合、ＢＳＲ ＭＡＣ ＣＥを送信し、ここで、前記ＢＳＲ ＭＡＣ ＣＥには、ターゲット端末識別子（Ｄｅｓｔｉｎａｔｉｏｎ ＩＤ）、前記Ｄｅｓｔｉｎａｔｉｏｎ ＩＤに対応する論理チャネルグループ情報および前記論理チャネルグループに対応するバッファ状態情報が含まれることを特徴とする請求項３に記載のバッファ状態報告のための方法。
【請求項５】
前記複製機能が構成またはアクティブ化されたＲＢに対応する異なる論理チャネルが異なる論理チャネルグループに属することを決定することは、
前記複製機能が構成またはアクティブ化されたＲＢに対応する異なる論理チャネルと論理チャネルグループ間の対応関係または計算式に従って、前記複製機能が構成またはアクティブ化されたＲＢに対応する異なる論理チャネルが異なる論理チャネルグループに属することを決定する、ことを特徴とする請求項２に記載のバッファ状態報告のための方法。
【請求項６】
前記計算式が以下の通りであり、
ＬＣＧ ＩＤ＝Ａ＋Ｍ×(ｉ−１)
または、ＬＣＧ ＩＤ＝Ｎ−Ｍ×(ｉ−１)−Ａ
ここで、ｉは前記複製機能が構成またはアクティブ化されたＲＢに対応するｉ番目の論理チャネルを示し、ＬＣＧ ＩＤは、前記複製機能が構成またはアクティブ化されたＲＢに対応するｉ番目の論理チャネルが属する論理チャネルグループのシリアル番号を示し、Ａは、前記複製機能が構成またはアクティブ化されたＲＢに対応する１番目の論理チャネルが属する論理チャネルグループのシリアル番号を示し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である、ことを特徴とする請求項５に記載のバッファ状態報告のための方法。
【請求項７】
前記対応関係および/または前記計算式は、プロトコルに従って直接指定されるか、またはネットワーク側機器によって構成される、ことを特徴とする請求項５に記載のバッファ状態報告のための方法。
【請求項８】
前記ネットワーク側機器が端末に対して前記対応関係または前記計算式を構成する場合、
ブロードキャストまたは専用シグナリングを介して前記ネットワーク側機器によって送信された前記対応関係または前記計算式の情報を運ぶ構成シグナリングを受信する、ことを特徴とする請求項７に記載のバッファ状態報告のための方法。
【請求項９】
異なるタイプのリンクによって使用される前記対応関係または前記計算式が異なる場合、前記ブロードキャストまたは専用シグナリングは、前記リンクの識別子を運ぶ必要がある、ことを特徴とする請求項８に記載のバッファ状態報告のための方法。
【請求項１０】
Ｓｉｄｅｌｉｎｋリンクが異なるターゲット端末に対して採用された前記対応関係または前記計算式が異なる場合、前記ブロードキャストまたは専用シグナリング識別子は前記ターゲット端末識別子を運ぶ必要があることを特徴とする請求項８に記載のバッファ状態報告のための方法。
【請求項１１】
論理チャネルグループのバッファ状態情報に基づいて端末によって報告されたバッファ状態情報を受信するステップと、
前記論理チャネルグループのバッファ状態情報に基づいて報告されたバッファ状態情報から前記端末の現在のバッファ状態を取得するステップとを備え、
ここで、特定のリンク上複製機能が構成またはアクティブ化された任意のＲＢについて、対応する異なる論理チャネルが属する論理チャネルグループは異なる、ことを特徴とするバッファ状態を決定するための方法。
【請求項１２】
受信された前記バッファ状態情報に従って前記複製機能が構成またはアクティブ化されたＲＢに対応する複数の異なる論理チャネルグループを決定し、
前記端末の現在のバッファ状態、前記複製機能が構成またはアクティブ化されたＲＢに対応する異なる論理チャネルと論理チャネルグループ間の対応関係または計算式に従って、前記複製機能が構成またはアクティブ化されたＲＢベアラの異なる論理チャネルグループに対応するデータを、異なる物理リソース上で伝送するようにスケジューリングする、ことを特徴とする請求項１１に記載のバッファ状態を決定するための方法。
【請求項１３】
前記対応関係および/または前記計算式は、プロトコルに従って直接指定されるか、またはネットワーク側機器によって決定された後に前記端末のために構成される、ことを特徴とする請求項１２に記載のバッファ状態を決定するための方法。
【請求項１４】
前記対応関係または前記計算式を前記端末に対して構成するモードは、
ブロードキャストまたは専用シグナリングを介して前記端末に前記対応関係または前記計算式の情報を運ぶ構成シグナリングを送信する、ことを特徴とする請求項１３に記載のバッファ状態を決定するための方法。
【請求項１５】
プログラムコマンドを格納するために使用されるメモリと、
前記メモリに格納されたプログラムコマンドを呼び出し、取得したプログラムに従って以下の操作を実行するために使用されるプロセッサとを備え、
前記プロセッサは、指定されたリンク上複製機能が構成またはアクティブ化された任意のＲＢについて、前記複製機能が構成またはアクティブ化されたＲＢに対応する異なる論理チャネルが異なる論理チャネルグループに属することを決定し、
バッファ状態報告条件が満たされたときに、前記論理チャネルグループのバッファ状態情報に基づいてバッファ状態情報を報告する、ことを特徴とするバッファ状態報告のための装置。
【請求項１６】
前記リンクは、端末から端末へのＳｉｄｅｌｉｎｋまたは端末からネットワーク側機器へのＵｕ ｌｉｎｋである、ことを特徴とする請求項１５に記載のバッファ状態報告のための装置。
【請求項１７】
前記論理チャネルグループのバッファ状態情報に基づいてバッファ状態情報を報告する場合、前記プロセッサは、複製機能が構成またはアクティブ化されたＲＢに対応する異なる論理チャネルのバッファ状態に基づいて、異なる論理チャネルグループのバッファ状態情報を報告する、ことを特徴とする請求項１６に記載のバッファ状態報告のための装置。
【請求項１８】
複製機能が構成またはアクティブ化されたＲＢに対応する異なる論理チャネルのバッファ状態に基づいて、異なる論理チャネルグループのバッファ状態情報を報告する場合、前記プロセッサは、Ｕｕ ｌｉｎｋの場合、バッファ状態報告（ＢＳＲ）メディアアクセスコントロール要素（Ｍｅｄｉａ Ａｃｃｅｓｓ Ｃｏｎｔｒｏｌ  Ｃｏｎｔｒｏｌ Ｅｌｅｍｅｎｔ,ＭＡＣ ＣＥ）を送信し、ここで、前記ＢＳＲ ＭＡＣ ＣＥに決定された前記論理チャネルグループ情報および前記論理チャネルグループに対応するバッファ状態情報が含まれ、Ｓｉｄｅｌｉｎｋの場合、ＢＳＲ ＭＡＣ ＣＥを送信し、ここで、前記ＢＳＲ ＭＡＣ ＣＥに、Ｄｅｓｔｉｎａｔｉｏｎ ＩＤ、前記Ｄｅｓｔｉｎａｔｉｏｎ ＩＤに対応する前記論理チャネルグループ情報および前記異なる論理チャネルグループに対応するバッファ状態情報が含まれる、ことを特徴とする請求項１７に記載のバッファ状態報告のための装置。
【請求項１９】
前記複製機能が構成またはアクティブ化されたＲＢに対応する異なる論理チャネルが異なる論理チャネルグループに属することを決定する場合、前記プロセッサは具体的に、前記複製機能が構成またはアクティブ化されたＲＢに対応する異なる論理チャネルと論理チャネルグループ間の対応関係または計算式に従って、前記複製機能が構成またはアクティブ化されたＲＢに対応する異なる論理チャネルが異なる論理チャネルグループに属することを決定する、ことを特徴とする請求項１６に記載のバッファ状態報告のための装置。
【請求項２０】
前記計算式が以下の通りであり、
ＬＣＧ ＩＤ＝Ａ＋Ｍ×(ｉ−１)
または、ＬＣＧ ＩＤ＝Ｎ−Ｍ×(ｉ−１)−Ａ
ここで、ｉは前記複製機能が構成またはアクティブ化されたＲＢに対応するｉ番目の論理チャネルを示し、ＬＣＧ ＩＤは、前記複製機能が構成またはアクティブ化されたＲＢに対応するｉ番目の論理チャネルが属する論理チャネルグループのシリアル番号を示し、Ａは、前記複製機能が構成またはアクティブ化されたＲＢに対応する１番目の論理チャネルが属する論理チャネルグループのシリアル番号を示し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である、ことを特徴とする請求項１９に記載のバッファ状態報告のための装置。
【請求項２１】
前記対応関係および/または前記計算式は、プロトコルに従って直接指定されるか、またはネットワーク側機器によって構成される、ことを特徴とする請求項１９に記載のバッファ状態報告のための装置。
【請求項２２】
前記ネットワーク側機器が端末に対して前記対応関係または前記計算式を構成する場合、前記プロセッサはさらに、送受信機を介してブロードキャストまたは専用シグナリングを介して前記ネットワーク側機器によって送信された前記対応関係または前記計算式の情報を運ぶ構成シグナリングを受信する、ことを特徴とする請求項２１に記載のバッファ状態報告のための装置。
【請求項２３】
異なるタイプのリンクによって使用される前記対応関係または前記計算式が異なる場合、前記ブロードキャストまたは専用シグナリングは、前記リンクの識別子を運ぶ必要がある、ことを特徴とする請求項２２に記載のバッファ状態報告のための装置。
【請求項２４】
Ｓｉｄｅｌｉｎｋリンクが異なるターゲット端末に対して採用された前記対応関係または前記計算式が異なる場合、前記ブロードキャストまたは専用シグナリング識別子は前記ターゲット端末識別子を運ぶ必要がある、ことを特徴とする請求項２２に記載のバッファ状態報告のための装置。
【請求項２５】
プログラムコマンドを格納するために使用されるメモリと、
前記メモリに格納されたプログラムコマンドを呼び出し、取得したプログラムに従って以下の操作を実行するために使用されるプロセッサとを備え、
前記プロセッサは、送受信機を介して論理チャネルグループのバッファ状態情報に基づいて端末によって報告されたバッファ状態情報を受信し、ここで、特定のリンク上複製機能が構成またはアクティブ化された任意のＲＢについて、対応する異なる論理チャネルが属する論理チャネルグループは異なり、
前記論理チャネルグループのバッファ状態情報に基づいて報告されたバッファ状態情報から前記端末の現在のバッファ状態を取得することを特徴とするバッファ状態を決定するための装置。
【請求項２６】
前記プロセッサはさらに、受信された前記バッファ状態情報に従って前記複製機能が構成またはアクティブ化されたＲＢに対応する複数の異なる論理チャネルグループを決定し、前記端末の現在のバッファ状態、前記複製機能が構成またはアクティブ化されたＲＢに対応する異なる論理チャネルと論理チャネルグループ間の対応関係または計算式に従って、前記複製機能が構成またはアクティブ化されたＲＢベアラの異なる論理チャネルグループに対応するデータを、異なる物理リソース上で伝送するようにスケジューリングすることを特徴とする請求項２５に記載のバッファ状態を決定するための装置。
【請求項２７】
前記対応関係および/または前記計算式は、プロトコルに従って直接指定されるか、またはネットワーク側機器によって決定された後に前記端末のために構成される、ことを特徴とする請求項２６に記載のバッファ状態を決定するための装置。
【請求項２８】
前記対応関係または前記計算式を前記端末に対して構成するモードは、
ブロードキャストまたは専用シグナリングを介して前記端末に前記対応関係または前記計算式の情報を運ぶ構成シグナリングを送信する、ことを特徴とする請求項２７に記載のバッファ状態を決定するための装置。
【請求項２９】
指定されたリンク上複製機能が構成またはアクティブ化された任意のＲＢについて、前記複製機能が構成またはアクティブ化されたＲＢに対応する異なる論理チャネルが異なる論理チャネルグループに属することを決定するために使用される決定ユニットと、
バッファ状態報告条件が満たされたときに、前記論理チャネルグループのバッファ状態情報に基づいてバッファ状態情報を報告するために使用される報告ユニットとを備える、ことを特徴とするバッファ状態報告のための装置。
【請求項３０】
論理チャネルグループのバッファ状態情報に基づいて端末によって報告されたバッファ状態情報を受信するために使用される受信ユニットと、
前記論理チャネルグループのバッファ状態情報に基づいて報告されたバッファ状態情報から前記端末の現在のバッファ状態を取得するために使用される取得ユニットとを備え、
特定のリンク上複製機能が構成またはアクティブ化された任意のＲＢについて、対応する異なる論理チャネルが属する論理チャネルグループは異なる、ことを特徴とするバッファ状態を決定するための装置。
【請求項３１】
コンピュータ実行可能コマンドが格納され、前記コンピュータ実行可能コマンドが、コンピュータが請求項１から請求項１４のいずれか一項に記載の方法を実行できるようにするために使用される、コンピュータ記憶媒体。
【発明の詳細な説明】
【技術分野】
【０００１】
本発明は、２０１８年２月９日に中国特許局に提出し、出願番号が２０１８１０１３５６４４．Ｘであり、発明名称が「バッファ状態報告のための方法および装置、ならびにコンピュータ記憶媒体」との中国特許出願を基礎とする優先権を主張し、その開示の総てをここに取り込む。
【０００２】
本発明は、通信技術分野に関し、特にバッファ状態報告のための方法および装置、ならびにコンピュータ記憶媒体に関する。
【背景技術】
【０００３】
無線通信システムは、スケジューリングに基づくシステムであり、ネットワーク側機器は、データ送信に必要な時間周波数リソースを端末に割り当て、端末は、ネットワーク側機器のスケジューリングコマンドに従ってダウンリンクデータを受信するか、またはアップリンクデータを送信する。アップリンクデータ送信中に、ネットワーク側の機器スケジューラは、アップリンクリソース割り当て条件を決定した後、ＵＬグラント（ＵＬ ｇｒａｎｔ,アップリンクグラント）を通じて端末に通知する。そして、ネットワーク側機器スケジューラによって実行されるアップリンクリソース割り当ては、端末によって送信されようとするアップリンクデータの量、すなわち、端末のバッファ状態に基づく。端末側にはバッファが配置されており、ネットワーク側の機器がこの情報を取得する必要がある場合、端末は基地局に対してバッファ状態報告（Ｂｕｆｆｅｒ Ｓｔａｔｅ Ｒｅｐｏｒｔ，ＢＳＲ）を行う必要がある。
【発明の概要】
【発明が解決しようとする課題】
【０００４】
本発明の実施形態は、バッファ状態報告のための方法および装置、ならびにコンピュータ記憶媒体を提供し、複製機能が構成またはアクティブ化されたＲＢ（Ｒａｄｉｏ Ｂｅａｒｅｒ，無線ベアラ）に対応する異なる論理チャネルが属する異なる論理チャネルグループに基づいて、端末のバッファ状態情報を報告し、データ伝送の信頼性が向上する。
【課題を解決するための手段】
【０００５】
本発明の実施形態によって提供されるバッファ状態報告のための方法は、
指定されたリンク上複製機能が構成またはアクティブ化された任意のＲＢについて、前記複製機能が構成またはアクティブ化されたＲＢに対応する異なる論理チャネルが異なる論理チャネルグループに属することを決定するステップと、
バッファ状態報告条件が満たされたときに、前記論理チャネルグループのバッファ状態情報に基づいてバッファ状態情報を報告するステップとを備える。
【０００６】
この方法により、複製機能が構成またはアクティブ化されたＲＢについて、ＲＢに対応する異なる論理チャネルが属する異なる論理チャネルグループが決定されるため、論理チャネルグループのバッファ状態情報に基づいてバッファ状態情報を報告することができる。ネットワーク側機器が報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【０００７】
任意選択で、前記リンクは、端末間直接通信リンク（Ｓｉｄｅｌｉｎｋ）または端末からネットワーク側機器への通信リンク（Ｕｕ ｌｉｎｋ）である。
【０００８】
このように、本発明は、リンク上に有複製機能が構成またはアクティブ化されたＲＢが存在する限り、リンクがＳｉｄｅｌｉｎであるかＵｕ ｌｉｎｋであるかに限定されない。
【０００９】
任意選択で、前記論理チャネルグループのバッファ状態情報に基づいてバッファ状態情報を報告することは、具体的に、
複製機能が構成またはアクティブ化されたＲＢに対応する異なる論理チャネルのバッファ状態に基づいて、異なる論理チャネルグループのバッファ状態情報を報告する。
【００１０】
バッファ状態情報が異なる論理チャネルグループを介して報告された後、ネットワーク側機器は、報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【００１１】
任意選択で、複製機能が構成またはアクティブ化されたＲＢに対応する異なる論理チャネルのバッファ状態に基づいて、異なる論理チャネルグループのバッファ状態情報を報告することは、具体的に、
Ｕｕ ｌｉｎｋの場合、ＢＳＲ ＭＡＣ ＣＥ（バッファ状態報告メディアアクセスコントロール要素ＢＳＲ：バッファ状態報告，Ｂｕｆｆｅｒ Ｓｔａｔｅ Ｒｅｐｏｒｔｉｎｇ；ＭＡＣ：メディアアクセス，Ｍｅｄｉａ Ａｃｃｅｓｓ Ｃｏｎｔｒｏｌ；ＣＥ：制御要素，Ｃｏｎｔｒｏｌ Ｅｌｅｍｅｎｔ）を送信し、ここで、前記ＢＳＲ ＭＡＣ ＣＥに決定された前記論理チャネルグループ情報および前記論理チャネルグループに対応するバッファ状態情報が含まれ、
Ｓｉｄｅｌｉｎｋの場合、ＢＳＲ ＭＡＣ ＣＥを送信し、ここで、前記ＢＳＲ ＭＡＣ ＣＥに、ターゲット端末識別子（Ｄｅｓｔｉｎａｔｉｏｎ ＩＤ）、前記Ｄｅｓｔｉｎａｔｉｏｎ ＩＤに対応する論理チャネルグループ情報、および前記論理チャネルグループに対応するバッファ状態情報が含まれる。
【００１２】
ここで、ＢＳＲ ＭＡＣ ＣＥに、決定された複数の異なる論理チャネルグループ、および当該複数の異なる論理チャネルグループに対応するバッファ状態情報が含まれる。
【００１３】
したがって、異なるリンクのために送信されるＢＳＲ ＭＡＣ ＣＥに含まれる情報が異なるため、ネットワーク側機器は、ＢＳＲ ＭＡＣ ＣＥを受信した後にＢＳＲ ＭＡＣ ＣＥに含まれる情報に従って対応する動作を実行することができ、ネットワーク側の機器の操作は、より正確になる。
【００１４】
任意選択で、前記複製機能が構成またはアクティブ化されたＲＢに対応する異なる論理チャネルが異なる論理チャネルグループに属することを決定することは具体的に、
前記複製機能が構成またはアクティブ化されたＲＢに対応する異なる論理チャネルと論理チャネルグループ間の対応関係または計算式に従って、前記複製機能が構成またはアクティブ化されたＲＢに対応する異なる論理チャネルが異なる論理チャネルグループに属することを決定する。
【００１５】
したがって、複製機能が構成またはアクティブ化されたＲＢに対応する異なる論理チャネルが属する異なる論理チャネルグループを決定する場合、事前に取得された複製機能が構成またはアクティブ化されたＲＢに対応する異なる論理チャネルと論理チャネルグループ間の対応関係または計算式に従うことにより、端末は、複製機能が構成またはアクティブ化されたＲＢに対応する異なる論理チャネルが属する論理チャネルグループを簡単かつ迅速に決定することができる。
【００１６】
任意選択で、前記計算式が以下の通りであり、
【００１７】
ＬＣＧ ＩＤ＝Ａ＋Ｍ×(ｉ−１)
または、ＬＣＧ ＩＤ＝Ｎ−Ｍ×(ｉ−１)−Ａ
【００１８】
ここで、ｉは前記複製機能が構成またはアクティブ化されたＲＢに対応するｉ番目の論理チャネルを示し、ＬＣＧ ＩＤは、前記複製機能が構成またはアクティブ化されたＲＢに対応するｉ番目の論理チャネルが属する論理チャネルグループのシリアル番号を示し、Ａは、前記複製機能が構成またはアクティブ化されたＲＢに対応する１番目の論理チャネルが属する論理チャネルグループのシリアル番号を示し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である。
【００１９】
したがって、複製機能が構成またはアクティブ化されたＲＢに対応する異なる論理チャネルと論理チャネルグループとの間の関係は、上記の計算式に従って決定することができるため、端末が複製機能が構成またはアクティブ化されたＲＢに対応する異なる論理チャネルが属する異なる論理チャネルグループを決定することに役を立つ。
【００２０】
任意選択で、前記対応関係および/または前記計算式は、プロトコルに従って直接指定されるか、またはネットワーク側機器によって構成される。
【００２１】
したがって、端末は、プロトコルに従って指定することにより、対応関係または計算式を直接得ることができ、また、端末は、ネットワーク側機器による端末の構成を通じて対応関係または計算式を得ることができる。その結果、端末は、当該対応関係または計算式に従って、複製機能が構成またはアクティブ化されたＲＢに対応する異なる論理チャネルが属する異なる論理チャネルグループを決定することができるようになる。
【００２２】
任意選択で、前記ネットワーク側機器が端末に対して前記対応関係または前記計算式を構成する場合、当該方法ではさらに、
ブロードキャストまたは専用シグナリングを介して前記ネットワーク側機器によって送信された前記対応関係または前記計算式の情報を運ぶ構成シグナリングを受信する。
【００２３】
したがって、端末は、対応関係および計算式を取得することができ、その結果、端末は、当該対応関係または計算式に従って、複製機能が構成またはアクティブ化されたＲＢに対応する異なる論理チャネルが属する異なる論理チャネルグループを決定する。
【００２４】
任意選択で、異なるタイプのリンクによって使用される前記対応関係または前記計算式が異なる場合、前記ブロードキャストまたは専用シグナリングは、前記リンクの識別子を運ぶ必要がある。
【００２５】
したがって、異なるタイプのリンクによって使用される対応関係または計算式が異なる場合、ブロードキャストまたは専用シグナリングでリンクの識別子を運ぶことにより、以使得端末は、異なるタイプのリンクによって使用される対応関係または計算式を区別することができるようになる。マッチングしない対応関係または計算式に従って複製機能が構成またはアクティブ化されたＲＢに対応する異なる論理チャネルが属する異なる論理チャネルグループを決定する場合、エラーが回避され、バッファ状態情報報告に影響しないようにする。
【００２６】
任意選択で、Ｓｉｄｅｌｉｎｋが異なるターゲット端末に対して採用される前記対応関係または前記計算式が異なる場合、前記ブロードキャストまたは専用シグナリング識別子は前記ターゲット端末識別子を運ぶ必要がある。
【００２７】
したがって、Ｓｉｄｅｌｉｎｋが異なるターゲット端末に対して異なる対応関係または計算式を使用する場合、ブロードキャストまたは専用シグナリングでターゲット端末識別子を運ぶことにより、得端末が異なるターゲット端末を区別でき、マッチングしない対応関係または計算式に従って複製機能が構成またはアクティブ化されたＲＢに対応する異なる論理チャネルが属する異なる論理チャネルグループを決定する場合、エラーが回避され、バッファ状態情報報告に影響しないようにする。
【００２８】
本発明の実施形態によって提供されるバッファ状態を決定するための方法は、
論理チャネルグループのバッファ状態情報に基づいて端末によって報告されたバッファ状態情報を受信するステップと、
前記論理チャネルグループのバッファ状態情報に基づいて報告されたバッファ状態情報から前記端末の現在のバッファ状態を取得するステップとを備え、
ここで、前記異なる論理チャネルグループは、指定されたリンク上複製機能が構成またはアクティブ化された任意のＲＢについて前記端末によって決定され、前記複製機能が構成またはアクティブ化されたＲＢに対応する異なる論理チャネルが異なる論理チャネルグループに属する。
【００２９】
この方法により、ネットワーク側機器は、論理チャネルグループのバッファ状態情報に基づいて端末によって報告されたバッファ状態情報を受信することができる。ネットワーク側機器が報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【００３０】
任意選択で、当該方法ではさらに、
受信された前記バッファ状態情報に従って前記複製機能が構成またはアクティブ化されたＲＢに対応する複数の異なる論理チャネルグループを決定し、
前記端末の現在のバッファ状態、前記複製機能が構成またはアクティブ化されたＲＢに対応する異なる論理チャネルと論理チャネルグループ間の対応関係または計算式に従って、前記複製機能が構成またはアクティブ化されたＲＢベアラの異なる論理チャネルグループに対応するデータを、異なる物理リソース上で伝送するようにスケジューリングする。
【００３１】
したがって、ネットワーク側機器が異なる論理チャネルグループに対応する同じデータをスケジューリングするとき同じデータを異なる物理リソースにスケジューリングできるので、伝送信頼性が向上し、伝送遅延が減少する。
【００３２】
任意選択で、前記対応関係および/または前記計算式は、プロトコルに従って直接指定されるか、またはネットワーク側機器によって決定された後に前記端末のために構成される。
【００３３】
任意選択で、前記対応関係または前記計算式を前記端末に対して構成するモードは、
ブロードキャストまたは専用シグナリングを介して前記端末に前記対応関係または前記計算式の情報を運ぶ構成シグナリングを送信する。
【００３４】
本発明の実施形態によって提供されるバッファ状態報告のための装置は、
プログラムコマンドを格納するために使用されるメモリと、
前記メモリに格納されたプログラムコマンドを呼び出し、取得したプログラムに従って以下の操作を実行するために使用されるプロセッサと、
前記プロセッサは、指定されたリンク上複製機能が構成またはアクティブ化された任意のＲＢについて、前記複製機能が構成またはアクティブ化されたＲＢに対応する異なる論理チャネルが異なる論理チャネルグループに属することを決定し、
バッファ状態報告条件が満たされたときに、前記論理チャネルグループのバッファ状態情報に基づいてバッファ状態情報を報告する。
【００３５】
任意選択で、前記リンクは、端末から端末へのＳｉｄｅｌｉｎｋまたは端末からネットワーク側機器へのＵｕ ｌｉｎｋである。
【００３６】
任意選択で、前記論理チャネルグループのバッファ状態情報に基づいてバッファ状態情報を報告する場合、前記プロセッサは具体的に、複製機能が構成またはアクティブ化されたＲＢに対応する異なる論理チャネルのバッファ状態に基づいて、異なる論理チャネルグループのバッファ状態情報を報告する。
【００３７】
任意選択で、複製機能が構成またはアクティブ化されたＲＢに対応する異なる論理チャネルのバッファ状態に基づいて、異なる論理チャネルグループのバッファ状態情報を報告する場合、前記プロセッサは具体的に、Ｕｕ ｌｉｎｋの場合、送受信機を介してＢＳＲ ＭＡＣ ＣＥを送信し、ここで、前記ＢＳＲ ＭＡＣ ＣＥに決定された前記論理チャネルグループ情報および前記論理チャネルグループに対応するバッファ状態情報が含まれ、Ｓｉｄｅｌｉｎｋの場合、前記送受信機を介してＢＳＲ ＭＡＣ ＣＥを送信し、ここで、前記ＢＳＲ ＭＡＣ ＣＥに、Ｄｅｓｔｉｎａｔｉｏｎ ＩＤ、前記Ｄｅｓｔｉｎａｔｉｏｎ ＩＤに対応する論理チャネルグループ情報、および前記論理チャネルグループに対応するバッファ状態情報が含まれる。
【００３８】
任意選択で、前記複製機能が構成またはアクティブ化されたＲＢに対応する異なる論理チャネルが異なる論理チャネルグループに属することを決定する場合、前記プロセッサは具体的に、前記複製機能が構成またはアクティブ化されたＲＢに対応する異なる論理チャネルと論理チャネルグループ間の対応関係または計算式に従って、前記複製機能が構成またはアクティブ化されたＲＢに対応する異なる論理チャネルが異なる論理チャネルグループに属することを決定する。
【００３９】
任意選択で、前記計算式が以下の通りであり、
【００４０】
ＬＣＧ ＩＤ＝Ａ＋Ｍ×(ｉ−１)
または、ＬＣＧ ＩＤ＝Ｎ−Ｍ×(ｉ−１)−Ａ
【００４１】
ここで、ｉは前記複製機能が構成またはアクティブ化されたＲＢに対応するｉ番目の論理チャネルを示し、ＬＣＧ ＩＤは、前記複製機能が構成またはアクティブ化されたＲＢに対応するｉ番目の論理チャネルが属する論理チャネルグループのシリアル番号を示し、Ａは、前記複製機能が構成またはアクティブ化されたＲＢに対応する１番目の論理チャネルが属する論理チャネルグループのシリアル番号を示し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である。
【００４２】
任意選択で、前記対応関係および/または前記計算式は、プロトコルに従って直接指定されるか、またはネットワーク側機器によって構成される。
【００４３】
任意選択で、前記ネットワーク側機器が端末に対して前記対応関係または前記計算式を構成する場合、前記プロセッサはさらに、送受信機を介してブロードキャストまたは専用シグナリングを介して前記ネットワーク側機器によって送信された前記対応関係または前記計算式の情報を運ぶ構成シグナリングを受信する。
【００４４】
任意選択で、異なるタイプのリンクによって使用される前記対応関係または前記計算式が異なる場合、前記ブロードキャストまたは専用シグナリングは、前記リンクの識別子を運ぶ必要がある。
【００４５】
任意選択で、Ｓｉｄｅｌｉｎｋが異なるターゲット端末に対して採用される前記対応関係または前記計算式が異なる場合、前記ブロードキャストまたは専用シグナリング識別子は前記ターゲット端末識別子を運ぶ必要がある。
【００４６】
本発明の実施形態によって提供されるバッファ状態を決定するための装置は、
プログラムコマンドを格納するために使用されるメモリと、
前記メモリに格納されたプログラムコマンドを呼び出し、取得したプログラムに従って以下の操作を実行するために使用されるプロセッサと、
前記プロセッサは、送受信機を介して論理チャネルグループのバッファ状態情報に基づいて端末によって報告されたバッファ状態情報を受信し、ここで、特定のリンク上複製機能が構成またはアクティブ化された任意のＲＢについて、対応する異なる論理チャネルが属する論理チャネルグループは異なる。
【００４７】
前記論理チャネルグループのバッファ状態情報に基づいて報告されたバッファ状態情報から前記端末の現在のバッファ状態を取得する。
【００４８】
任意選択で、前記プロセッサはさらに、受信された前記バッファ状態情報に従って前記複製機能が構成またはアクティブ化されたＲＢに対応する複数の異なる論理チャネルグループを決定し、前記端末の現在のバッファ状態、前記複製機能が構成またはアクティブ化されたＲＢに対応する異なる論理チャネルと論理チャネルグループ間の対応関係または計算式に従って、前記複製機能が構成またはアクティブ化されたＲＢベアラの異なる論理チャネルグループに対応するデータを、異なる物理リソース上で伝送するようにスケジューリングする。
【００４９】
任意選択で、前記対応関係および/または前記計算式は、プロトコルに従って直接指定されるか、またはネットワーク側機器によって決定された後に前記端末のために構成される。
【００５０】
任意選択で、前記対応関係または前記計算式を前記端末に対して構成するモードは、
ブロードキャストまたは専用シグナリングを介して前記端末に前記対応関係または前記計算式の情報を運ぶ構成シグナリングを送信する。
【００５１】
本発明の実施形態によって提供される別のバッファ状態報告のための装置は、
指定されたリンク上複製機能が構成またはアクティブ化された任意のＲＢについて、前記複製機能が構成またはアクティブ化されたＲＢに対応する異なる論理チャネルが異なる論理チャネルグループに属することを決定するために使用される決定ユニットと、
バッファ状態報告条件が満たされたときに、前記論理チャネルグループのバッファ状態情報に基づいてバッファ状態情報を報告するために使用される報告ユニットとを備える。。
【００５２】
本発明の実施形態によって提供される任意のバッファ状態報告のための装置は、端末であってもよく、例えば、ユーザ機器であってもよい。複製機能が構成またはアクティブ化されたＲＢについて、端末がＲＢに対応する異なる論理チャネルが属する異なる論理チャネルグループを決定するため、論理チャネルグループのバッファ状態情報に基づいてバッファ状態情報を報告することになる。ネットワーク側機器が報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【００５３】
本発明の実施形態によって提供される別のバッファ状態決定デバイスは、
論理チャネルグループのバッファ状態情報に基づいて端末によって報告されたバッファ状態情報を受信するために使用される受信ユニットと、
前記論理チャネルグループのバッファ状態情報に基づいて報告されたバッファ状態情報から前記端末の現在のバッファ状態を取得するために使用される取得ユニットとを備え、
ここで、特定のリンク上複製機能が構成またはアクティブ化された任意のＲＢについて、対応する異なる論理チャネルが属する論理チャネルグループは異なる。
【００５４】
本発明の実施形態によって提供される任意のバッファ状態を決定するための装置は、ネットワーク側機器であってよく、例えば、基地局であってよい。ネットワーク側機器が報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【００５５】
本発明の実施形態は、コンピュータ記憶媒体を提供し、コンピュータ実行可能コマンドがコンピュータ記憶媒体に格納され、コンピュータ実行可能コマンドは、コンピュータが上述の方法を実行することを可能にするために使用される。
【００５６】
本発明の実施形態によって提供されるコンピュータ記憶媒体は、記憶機能を有する任意の物理デバイスであり得る。そのようなコンピュータ記憶媒体を基地局および/または端末などのネットワーク側の機器に配置することにより、ネットワーク側機器が報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【図面の簡単な説明】
【００５７】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００５８】
【図１】背景技術におけるＰＤＣＰ ｄｕｐｌｉｃａｔｉｏｎモデルの構造の概略図である。
【図２】背景技術におけるセルラーネットワークにおける端末通信のデータの概略図である。
【図３】本発明の実施形態によって提供されるバッファ状態決定システの構造の概略図である。
【図４ａ】本発明の実施形態によって提供されるバッファ状態報告のための装置の構造の概略図である。
【図４ｂ】本発明の実施形態によって提供される別のバッファ状態報告のための装置の構造の概略図である。
【図５】本発明の実施形態によって提供される別のバッファ状態報告のための装置の構造の概略図である。
【図６ａ】本発明の実施形態によって提供されるバッファ状態を決定するための装置の構造の概略図である。
【図６ｂ】本発明の実施形態によって提供される別のバッファ状態を決定するための装置の構造の概略図である。
【図７】本発明の実施形態によって提供される別のバッファ状態を決定するための装置の構造の概略図である。
【図８】本発明の実施形態によって提供されるバッファ状態報告のための方法のフローの概略図である。
【図９】本発明の実施形態によって提供されるバッファ状態を決定するための方法のフローの概略図である。
【図１０】本発明の実施形態によって提供される第１の実施形態のインタラクショの流れ図である。
【図１１】本発明の実施形態によって提供される第５の実施形態のインタラクショの流れ図である。
【発明を実施するための形態】
【００５９】
本発明の実施形態は、バッファ状態報告のための方法および装置、ならびにコンピュータ記憶媒体を提供し、複製機能が構成またはアクティブ化されたＲＢに対応する異なる論理チャネルが属する異なる論理チャネルグループに基づいて、端末のバッファ状態情報を報告することを実現し、データ伝送の信頼性が向上する。
【００６０】
まず、本出願におけるいくつかの用語は、当業者による理解を容易にするために解釈されるべきである。
【００６１】
複製（ｄｕｐｌｉｃａｔｉｏｎ）機能。
【００６２】
時間遅延および信頼性に関するサービスのより高い要件に適応するために、パケットデータ収束プロトコル（Ｐａｃｋｅｔ Ｄａｔａ Ｃｏｎｖｅｒｇｅｎｃｅ Ｐｒｏｙｏｃｏｌ，ＰＤＣＰ）の複製が、現在の第３世代パートナーシッププロジェクト（３ＧＰＰ）に導入される。すなわち、同じＰＤＣＰ層のプロトコルデータユニット（Ｐｒｏｔｏｃｏｌ Ｄａｔａ Ｕｎｉｔ，ＰＤＵ）は複数のパスを介して送信されるため、複数のパスで送信することにより、伝送の信頼性を向上させ、伝送遅延を低減し、ユーザエクスペリエンスを向上させることができる。
【００６３】
ＰＤＣＰ ｄｕｐｌｉｃａｔｉｏｎモデルについては、図１を参照されたい。モデルは、ＰＤＣＰ層、無線リンク制御（Ｒａｄｉｏ Ｌｉｎｋ Ｃｏｎｔｒｏｌ，ＲＬＣ）層、および媒体アクセス制御（ＭＡＣ）層を含む。ＰＤＣＰ層の１つのＲＢは、ＰＤＣＰエンティティに対応し、データ伝送は２つの論理チャネル（Ｌｏｇｉｃ Ｃｈａｎｎｅｌ，ＬＣ）を介してＲＬＣ層で実行される。各論理チャネルは１つのＲＬＣエンティティに対応し、ＭＡＣ（Ｍｅｄｉａ Ａｃｃｅｓｓ Ｃｏｎｔｒｏｌ）エンティティはＭＡＣ層で処理を実行して、２つの異なる論理チャネルからのデータを異なる物理リソースへマッピングして伝送し、たとえば、異なるキャリアへマッピングして伝送する。
【００６４】
さらに、出願人は研究中、互いに近い端末がネットワーク側機器を介して互いに通信でき、もちろん互いに直接通信できることを発見した。図２に示すように、端末間の直接通信用のリンクは、ここでは端末間通信リンクＳｉｄｅｌｉｎｋとして定義され、端末とネットワーク側機器間の通信リンクは、端末からネットワーク側機器へのＵｕ ｌｉｎｋと呼ばれる。
【００６５】
Ｓｉｄｅｌｉｎｋのバッファ状態報告メカニズムの場合、ネットワーク側機器は、端末に対して、論理チャネルグループ（Ｌｏｇｉｃ Ｃｈａｎｎｅｌ Ｇｒｏｕｐ，ＬＣＧ）とＰＰＰＰ（ＰｒｏＳｅ Ｐｅｒ−Ｐａｃｋｅｔ Priority，直接通信データパケット優先度）との間のマッピング関係を構成する。端末がバッファ状態情報を報告する必要がある場合、データを送信する必要がある論理チャネルのＰＰＰＰに対応するＬＣＧは、論理チャネルのＰＰＰＰに従って決定され、次に各ＬＣＧに対応するデータの量が決定されＳｉｄｅｌｉｎｋ ＢＳＲ ＭＡＣ ＣＥがパッケージ化され、ネットワーク側の機器に報告される。ただし、Ｓｉｄｅｌｉｎｋが複製機能をサポートしている場合、上記のメカニズムに従って、複製機能がアクティブ化されているＲＢに対応する２つの論理チャネルのデータのＰＰＰＰは同じであるため、ＬＣＧとＰＰＰＰの間のマッピング関係に従って、１つのＬＣＧのみを決定できる。また、ＳｉｄｅｌｉｎｋのＢＳＲ ＭＡＣ ＣＥの設計モードによれば、１つのＬＣＧは１つのバッファ状態（Ｂｕｆｆｅｒ Ｓｔａｔｅ，ＢＳ）ドメイン名に対応するため、端末がバッファ状態情報をネットワーク側の機器に報告する場合、１つのＬＣＧによって報告し、これにより、ネットワーク側の機器は、端末から報告されたバッファ状態情報を受信した後、１つの論理チャネルグループに対応するデータのみを識別でき、異なる論理チャネルグループに対応する同じデータを識別できない。複製機能がアクティブ化されたＲＢに対応する同じデータを別の物理リソースにスケジューリングすることはできず、複製機能のゲインの取得を保証できない。
【００６６】
しかしながら、同様の問題は、Ｕｕ ｌｉｎｋのバッファ状態報告メカニズムにも存在する。すなわち、ネットワーク側機器は、一般に、サービス品質（Ｑｕａｌｉｔｙ ｏｆ Ｓｅｒｖｉｃｅ，ＱｏＳ）に従って、ＲＢおよびＬＣＧを分割する。複製機能が属するＲＢに対応するLCが属するＬＣＧも１つのＬＣＧとして分類されるため、端末から報告されたバッファ状態情報を受信した後、ネットワーク側機器は、複製機能がアクティブ化されたＲＢに対応するデータを異なる物理リソースにスケジューリングすることができず、したがって複製機能のゲインの取得を保証することはできない。
【００６７】
したがって、図３に示すように、本出願の一実施形態によって提供されるバッファ状態決定システムは、ネットワーク側機器３０１および端末３０２を含むことができる。
【００６８】
端末３０２は、指定されたリンク上複製機能が構成またはアクティブ化された任意のＲＢについて、複製機能が構成またはアクティブ化されたＲＢに対応する異なる論理チャネルが属する異なる論理チャネルグループを決定する。バッファ状態報告条件が満たされたときに、論理チャネルグループのバッファ状態情報に基づいてバッファ状態情報を報告する。
【００６９】
ネットワーク側機器３０１は、論理チャネルグループのバッファ状態情報に基づいて端末によって報告されたバッファ状態情報を受信し、ここで、特定のリンク上複製機能が構成またはアクティブ化された任意のＲＢについて、対応する異なる論理チャネルが属する論理チャネルグループは異なる。論理チャネルグループのバッファ状態情報に基づいて報告されたバッファ状態情報から端末３０２現在のバッファ状態を取得する。
【００７０】
任意選択で、本発明の実施形態では、端末３０２が複製機能が構成またはアクティブ化されたＲＢに対応する異なる論理チャネルが属する異なる論理チャネルグループを決定する前に、端末３０２は、指定されたリンクに、複製機能が構成またはアクティブ化されたＲＢが提供されているかどうかを判断する。
【００７１】
具体的には、端末３０２は、ネットワーク側機器３０１の制御情報に従って具体的に判断することができ、端末３０２の予め設定されたポリシーに従って判断することもできる。指定されたリンクに複製機能が構成またはアクティブ化されたＲＢが提供されていると判断された場合、いずれかのＲＢに対応する論理チャネルが属する異なる論理チャネルグループが決定される。そして、指定されたリンクに、複製機能が構成またはアクティブ化されたＲＢが提供されていないと判断された場合、端末３０２は、ＲＢに対応する論理チャネルが属する異なる論理チャネルグループを決定する動作を実行する必要がない。
【００７２】
複製機能が構成またはアクティブ化されたＲＢは、複製機能がアクティブ化されたＲＢが指定されたリンクに構成されている、または複製機能がアクティブ化されていないＲＢが指定されたリンクに構成されていると理解できることに留意されたい。その後、ＲＢの複製機能がアクティブになる。
【００７３】
任意選択で、本発明の実施形態では、端末３０２が複製機能が構成またはアクティブ化されたＲＢに対応する異なる論理チャネルが属する異なる論理チャネルグループを決定する場合、具体的に、
複製機能が構成またはアクティブ化されたＲＢに対応する異なる論理チャネルと論理チャネルグループ間の対応関係または計算式に従って、複製機能が構成またはアクティブ化されたＲＢに対応する異なる論理チャネルが属する異なる論理チャネルグループを決定する。
【００７４】
具体的には、複製機能が構成またはアクティブ化されたＲＢに対応する異なる論理チャネルと論理チャネルグループ間の対応関係に従って、対応関係から複製機能が構成またはアクティブ化されたＲＢに対応する複数の論理チャネルが属する異なる論理チャネルグループを直接に照合することができるため、端末３０２は、論理チャネルグループを簡単かつ迅速に決定することができ、バッファ状態決定システムの操作の複雑さを単純化することができ、作業効率を改善することができる。
【００７５】
たとえば、複製機能が構成またはアクティブ化されている１つのＲＢで最大で使用できる論理チャネルの数を２つとると、当該２つの論理チャネルでは、１番目の論理チャネルはＲＢがアクティブ化する前に対応する論理チャネルであり、ＬＣ１で表すことができる。他の論理チャネルは、ＲＢの複製機能がアクティブ化された後に新しく追加された論理チャネルで、ＬＣ２で表される。複製機能が構成またはアクティブ化されたＲＢに対応する異なる論理チャネルと論理チャネルグループ間の対応関係は、表１を参照できる。左の列は、ＬＣ１が属する論理チャネルグループＬＣＧ ＩＤを表し、右側の列はＬＣ２が属する論理チャネルグループＬＣＧ ＩＤを表す。さらに、１つの論理チャネルグループに複数のＲＢを含めることができ、一部のＲＢに対して複製機能を構成またはアクティブ化でき、一部のＲＢに対して複製機能を構成またはアクティブ化しない。本発明では、構成またはアクティブ化された機能が関係するため、複製機能が構成またはアクティブ化された１つのＲＢに対応する異なる論理チャネルと論理チャネルグループの対応関係のみを表１に示す。
【００７６】
【表１】
2021513291.tif 000003
【００７７】
表１から分かるように、ＲＢ１に対応する１番目の論理チャネルが属する論理チャネルグループは第１のグループであり、ＲＢ１に対応する新たに追加された論理チャネルが属する論理チャネルグループは第９のグループである。そして、複製機能が構成またはアクティブ化されたＲＢ１に対応する２つの論理チャネルが属する論理チャネルグループは異なることが明らかである。同様に、ＲＢ３の場合、ＲＢ３に対応する１番目の論理チャネルが属する論理チャネルグループは第２のグループであり、ＲＢ３に対応する新しく追加された論理チャネルが属する論理チャネルグループは第１０のグループである。複製機能が構成またはアクティブ化されたＲＢ３に対応する２つの論理チャネルが属する論理チャネルグループが異なる。したがって、端末３０２は、異なる論理チャネルグループのバッファ状態情報を報告することができる。
【００７８】
もちろん、論理チャネルグループが決定されるとき、論理チャネルグループは、複製機能が構成またはアクティブ化されたＲＢに対応する異なる論理チャネルと論理チャネルグループとの間の計算式に従って決定されてもよい。具体的には、次の２つの計算式がある。
【００７９】
ＬＣＧ ＩＤ＝Ａ＋Ｍ×(ｉ−１)
または、ＬＣＧ ＩＤ＝Ｎ−Ｍ×(ｉ−１)−Ａ
【００８０】
ここで、ｉは複製機能が構成またはアクティブ化されたＲＢに対応するｉ番目の論理チャネルを表し、ＬＣＧ ＩＤは、複製機能が構成またはアクティブ化されたＲＢに対応するｉ番目の論理チャネルが属する論理チャネルグループのシリアル番号を表し、Ａは、複製機能が構成またはアクティブ化されたＲＢに対応する１番目の論理チャネルが属する論理チャネルグループのシリアル番号を表し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である。
【００８１】
したがって、複製機能が構成またはアクティブ化されたＲＢに対応する異なる論理チャネルと論理チャネルグループとの間の関係は、上記の計算式に従って決定することができ、それは、端末３０２が複製機能が構成またはアクティブ化されたＲＢに対応する異なる論理チャネルが属する異なる論理チャネルグループを決定することに役に立つ。
【００８２】
もちろん、複製機能が構成またはアクティブ化されたＲＢに対応する異なる論理チャネルと論理チャネルグループ間の計算は、上記の２つの式に限定されず、複製機能が構成またはアクティブ化されたＲＢに対応する異なる論理チャネルと論理チャネルグループとの間の関係を与えることができる他の計算式でもよい。ここに限定されない。
【００８３】
任意選択で、本発明の実施形態で述べた上記複製機能が構成またはアクティブ化されたＲＢに対応する異なる論理チャネルと論理チャネルグループ間の対応関係または計算式は、以下のいずれかの方法で得ることができる：
【００８４】
プロトコルに従って直接指定する。
【００８５】
ネットワーク側機器３０１によって構成される。
【００８６】
さらに、ネットワーク側機器３０１が端末３０２に対して対応関係または計算式を構成するとき、端末３０２は、ブロードキャストまたは専用シグナリングを介してネットワーク側機器によって送信され、対応関係または計算式の情報が含まれる構成シグナリングを受信するためにも使用される。したがって、端末３０２は対応関係および計算式を取得でき、端末３０２が当該対応関係または計算式に従って複製機能が構成またはアクティブ化されたＲＢに対応する異なる論理チャネルが属する異なる論理チャネルグループを決定することに役に立つ。
【００８７】
本発明の実施形態では、指定されたリンク上の複製機能が構成またはアクティブ化された任意のＲＢを対象とする。リンクは端末から端末へのＳｉｄｅｌｉｎｋであってもよく、または端末３０２からネットワーク側機器３０１へのＵｕ ｌｉｎｋであってもよいことに留意されたい。ただし、ＳｉｄｅｌｉｎｋまたはＵｕ ｌｉｎｋに関係なく、リンク上に複製機能が構成またはアクティブ化されたＲＢが存在すれば、端末３０２は、複製機能が構成またはアクティブ化されたＲＢに対応する異なる論理チャネルが属する異なる論理チャネルグループを決定し、異なる論理チャネルグループのバッファ状態情報を報告するようにする。
【００８８】
さらに、上記の方法は、複製機能が構成またはアクティブ化された任意のＲＢを対象としているため、複製機能が構成またはアクティブ化されたＲＢに対応する異なる論理チャネルと論理チャネルグループ間の対応関係または計算式は、リンクのタイプと特定の関係がある。つまり、異なるタイプのリンクによって採用される対応関係または計算式は同じにすることができるため、システム操作の複雑さを効果的に減らすことができる。もちろん、異なるリンク上の論理チャネルグループが決定されるときの端末３０２の精度を向上させるために、異なるタイプのリンクによって採用される対応関係または計算式も異なる場合があり、このとき、対応関係または計算式がプロトコルに従って指定されるか、ネットワーク側機器３０１によって構成されるかと関わらず、リンクの識別子を示す必要がある。たとえば、ネットワーク側機器によって論理チャネルと論理チャネルグループ間の対応関係または計算式を構成する場合、ブロードキャストまたは専用シグナリングにリンクの識別子が含まれることにより、リンクのタイプを区別する。
【００８９】
Ｓｉｄｅｌｉｎｋの場合、Ｓｉｄｅｌｉｎｋは端末間リンクであるという事実により、異なるターゲット端末間のＳｉｄｅｌｉｎｋは異なる場合があり、その結果、異なるターゲット端末に採用される対応関係または計算式は、同じであり、したがってシステム操作の複雑さを減らすことができる。もちろん、異なるターゲット端末に採用された対応関係または計算式も異なる場合があり、現時点では、対応関係または計算式がプロトコルに従って指定されているか、ネットワーク側機器３０１によって構成されているかに関わらず、リンクを示す必要がある。たとえば、ターゲット端末の識別子は、さまざまなＳｉｄｅｌｉｎｋを区別するためにブロードキャストまたは専用シグナリングに含まれる。
【００９０】
任意選択で、本発明の実施形態では、バッファ状態報告条件が満たされたときに、端末３０２論理チャネルグループのバッファ状態情報に基づいてバッファ状態情報を報告することは具体的に、
複製機能が構成またはアクティブ化されたＲＢに対応する異なる論理チャネルのバッファ状態に基づいて、異なる論理チャネルグループのバッファ状態情報を報告する。
【００９１】
バッファ状態報告条件は、リンクのバッファ状態報告のトリガ条件が満たされ、リンクのＢＳＲ ＭＡＣ ＣＥの送信によって必要とされるＵｕインターフェースアップリンクリソースが満たされることであ。ここで、トリガ条件は、現在のリンクバッファの状態が、空の状態から空でない状態に変更されるが、これに限定されない。
【００９２】
例えば、Ｕｕ ｌｉｎｋの場合、バッファ状態報告条件は、Ｕｕ ｌｉｎｋＢＳＲトリガ条件が満たされ、Ｕｕ ｌｉｎｋのＢＳＲ ＭＡＣ ＣＥの送信によって必要とされるＵｕインターフェースアップリンクリソースが満たされることであり得る。Ｓｉｄｅｌｉｎｋの場合、バッファ状態の報告条件は、Ｓｉｄｅｌｉｎｋ  ＢＳＲトリガ条件が満たされ、ＳｉｄｅｌｉｎｋのＢＳＲ ＭＡＣ ＣＥの送信に必要なＵｕインターフェースアップリンクリソースが満たされることである。
【００９３】
複製機能の特性に基づいて、端末３０２が異なる論理チャネルグループのバッファ状態情報を報告する場合、ネットワーク側機器３０１は、バッファ状態情報を受信したとき、バッファ状態情報、および複製機能が構成またはアクティブ化されたＲＢに対応する異なる論理チャネルと論理チャネルグループ間の対応関係または計算式に従って、どの論理チャネルグループが複製機能が構成またはアクティブ化されたＲＢに対応する異なる論理チャネルのデータの量（当該データの量がバッファ状態である）を含むかを決定することができる。これらの論理チャネルグループに対応するデータは、複製機能のゲインを確保するために、異なる物理リソースにスケジューリングする必要がある。
【００９４】
具体的には、端末３０２が複製機能が構成またはアクティブ化されたＲＢに対応する異なる論理チャネルのバッファ状態に基づいて、異なる論理チャネルグループのバッファ状態情報を報告することは具体的に、
Ｕｕ ｌｉｎｋの場合、バッファ状態報告（ＢＳＲ）メディアアクセスコントロール要素（Ｍｅｄｉａ Ａｃｃｅｓｓ Ｃｏｎｔｒｏｌ  Ｃｏｎｔｒｏｌ Ｅｌｅｍｅｎｔ,ＭＡＣ ＣＥ）を送信し、ここで、ＢＳＲ ＭＡＣ ＣＥに、決定された論理チャネルグループ情報および論理チャネルグループに対応するバッファ状態情報が含まれる。
【００９５】
Ｓｉｄｅｌｉｎｋの場合、ＢＳＲ ＭＡＣ ＣＥを送信し、ここで、ＢＳＲ ＭＡＣ ＣＥに、Ｄｅｓｔｉｎａｔｉｏｎ ＩＤ、決定されたＤｅｓｔｉｎａｔｉｏｎ ＩＤに対応する論理チャネルグループ情報、および論理チャネルグループに対応するバッファ状態情報が含まれる。
【００９６】
具体的には、端末３０２がバッファ状態情報をネットワーク側機器３０１に報告するとき、バッファ状態情報は、一般に、ＢＳＲ ＭＡＣ ＣＥを送信するモードで報告され、ＢＳＲ ＭＡＣ ＣＥに、少なくとも論理チャネルグループ情報、および論理チャネルグループに対応するバッファ状態情報画含まれる。ここで、Ｓｉｄｅｌｉｎｋは端末３０２と端末３０２の間のリンクであり、ＢＳＲ ＭＡＣ ＣＥにターゲット端末の識別子（Ｄｅｓｔｉｎａｔｉｏｎ ＩＤ）がさらに含まれる必要がある。そして、端末３０２と異なるターゲット端末との間の論理チャネルグループ情報は異なり、その結果、ＢＳＲ ＭＡＣ ＣＥに含まれる論理チャネルグループ情報は、ターゲット端末識別子に対応する。すなわち、Ｓｉｄｅｌｉｎｋの場合、ＢＳＲ ＭＡＣ ＣＥにＤｅｓｔｉｎａｔｉｏｎ ＩＤ，Ｄｅｓｔｉｎａｔｉｏｎ ＩＤに対応する論理チャネルグループ情報、および論理チャネルグループに対応するバッファ状態情報が含まれる。そして、Ｕｕ ｌｉｎｋは、端末３０２とネットワーク側機器３０１の間のリンクであり、ターゲット端末は関係しないので、ＢＳＲ ＭＡＣ ＣＥはターゲット端末識別子を含める必要がなく、決定された論理チャネルグループ情報と、論理チャネルグループに対応するバッファ状態情報を含めばよい。したがって、異なるリンクについて、端末３０２によって送信されたＢＳＲ ＭＡＣ ＣＥは異なる情報を含み、ネットワーク側機器３０１は、ＢＳＲ ＭＡＣ ＣＥを受信した後にＢＳＲ ＭＡＣ ＣＥに含まれる情報に従って対応する動作を実行でき、動作ネットワーク側機器３０１の精度を向上させることができる。
【００９７】
上記のＢＳＲ ＭＡＣ ＣＥが送信される前に、複製機能が構成またはアクティブ化されたＲＢに対応する異なる論理チャネルが属する決定された異なる論理チャネルグループに従って、ＢＳＲ ＭＡＣ ＣＥを編成して端末３０２がネットワーク側装置３０１にバッファ状態情報を報告できるように、どの論理チャネルグループに対応するバッファ状態情報が報告されるかを決定し、および特定のバッファ状態値を決定する。
【００９８】
任意選択で、本発明の実施形態では、ネットワーク側機器３０１がバッファ状態情報を取得した後、ネットワーク側機器３０１は、受信したバッファ状態情報に従って、複製機能が構成またはアクティブ化されたＲＢに対応する複数の異なる論理チャネルグループを決定するためにも使用される。端末３０２現在のバッファ状態、および複製機能が構成またはアクティブ化されたＲＢに対応する異なる論理チャネルと論理チャネルグループ間の対応関係または計算式に従って、複製機能が構成またはアクティブ化されたＲＢベアラの異なる論理チャネルグループに対応するデータを異なる物理リソースにスケジューリングする。
【００９９】
もちろん、上記の物理リソースは、キャリアリソースであってもよく、帯域幅部分（Ｂａｎｄ Ｗｉｄｔｈ Ｐａｒｔ，ＢＷＰ）であってもよく、またはトランスポートブロック（Ｔｒａｎｓｐｏｒｔ Ｂｌｏｃｋ，ＴＢ）などの物理リソースであってもよく、ここに限定されない。
【０１００】
任意選択で、本発明の実施形態では、ネットワーク側機器３０１の対応関係および／または計算式は、プロトコルに従って直接指定することも、ネットワーク側機器３０１によって決定された後に端末３０２用に構成することもできる。
【０１０１】
具体的には、端末３０２に対して対応関係または計算式を構成するモードは、以下のとおりであり得る。
【０１０２】
ブロードキャストまたは専用シグナリングを介して端末３０２に対応関係または計算式的情報が含まれる構成シグナリングを送信する。
【０１０３】
構成シグナリングは、ネットワーク側機器３０１のみによって端末３０２に送信することができ、もちろん、複製機能が構成またはアクティブ化シグナリングと共に送信することもできるので、ネットワーク側機器３０１はまた、端末３０２に対して対応関係または計算式を構成しながら、端末３０２の指定されたリンク上で複製機能がアクティブ化されていないＲＢをアクティブ化できるので、端末３０２は、複製機能がアクティブ化された状態でＲＢに対して、対応の操作を実行できる。
【０１０４】
同じ思想に基づいて、本発明の実施形態は、図４ａに示すように、端末などのバッファ状態報告のための装置を提供し、当該装置は、
プログラムコマンドを格納するために使用されるメモリ４０１と、
メモリ４０１に格納されたプログラムコマンドを呼び出し、取得したプログラムに従って以下の操作を実行するために使用されるプロセッサ４０２とを備える。
【０１０５】
前記プロセッサ４０２は、指定されたリンク上複製機能が構成またはアクティブ化された任意のＲＢについて、複製機能が構成またはアクティブ化されたＲＢに対応する異なる論理チャネルが属する異なる論理チャネルグループを決定し、
バッファ状態報告条件が満たされたときに、論理チャネルグループのバッファ状態情報に基づいてバッファ状態情報を報告する。
【０１０６】
ここで、複製機能が構成またはアクティブ化されたＲＢは、複製機能がアクティブ化されたＲＢが指定されたリンク上に構成され、または複製機能がアクティブ化されていないＲＢが指定されたリンク上に構成され、複製ＲＢの機能がアクティブになる。
【０１０７】
複製機能が構成またはアクティブ化されたＲＢについて、ＲＢに対応する異なる論理チャネルが属する異なる論理チャネルグループが決定されるため、論理チャネルに基づいて報告されたバッファ状態情報は、ネットワーク側機器が報告されたバッファ状態情報を受信した後、複製機能が構成またはアクティブ化されたＲＢに対応する異なる論理チャネルのデータを異なる物理リソース上で送信できるようにスケジューリングする。これにより、データ転送の信頼性を確保しながら送信遅延を削減できる。
【０１０８】
任意選択で、リンクは、端末から端末へのＳｉｄｅｌｉｎｋまたは端末からネットワーク側機器へのＵｕ ｌｉｎｋである。
【０１０９】
ここで、Ｕｕ ｌｉｎｋの場合、上記のバッファ状態報告条件は、Ｕｕ ｌｉｎｋのＢＳＲトリガ条件が満たされ、Ｕｕ ｌｉｎｋのＢＳＲ ＭＡＣ ＣＥの送信によって必要とされるＵｕインターフェースアップリンクリソースが満たされることであり得る。また、Ｓｉｄｅｌｉｎｋの場合、上記のバッファ状態報告条件は、ＳｉｄｅｌｉｎｋＢＳＲトリガ条件が満たされ、ＳｉｄｅｌｉｎｋのＢＳＲ ＭＡＣ ＣＥの送信に必要なＵｕインターフェースアップリンクリソースが満たされることである。
【０１１０】
任意選択で、プロセッサ４０２は、論理チャネルグループのバッファ状態情報に基づいてバッファ状態情報を報告するとき、具体的には、複製機能が構成またはアクティブ化されたＲＢに対応する異なる論理チャネルのバッファ状態に基づいて、異なる論理チャネルグループのバッファ状態情報を報告する。
【０１１１】
バッファ状態情報が異なる論理チャネルグループを介して報告された後、ネットワーク側機器が報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【０１１２】
任意選択で、図４ｂに示すように、バッファ状態報告のための装置は、送受信機４０３も含むことができる。
【０１１３】
プロセッサ４０２は、複製機能が構成またはアクティブ化されたＲＢに対応する異なる論理チャネルのバッファ状態に基づいて、異なる論理チャネルグループのバッファ状態情報を報告する場合、具体的には、Ｕｕ ｌｉｎｋの場合、送受信機４０３を介してＢＳＲメディアアクセスコントロール要素（Ｍｅｄｉａ Ａｃｃｅｓｓ Ｃｏｎｔｒｏｌ  Ｃｏｎｔｒｏｌ Ｅｌｅｍｅｎｔ,ＭＡＣ ＣＥ）を送信し、ここで、ＢＳＲ ＭＡＣ ＣＥに、決定された論理チャネルグループ情報および論理チャネルグループに対応するバッファ状態情報が含まれる。Ｓｉｄｅｌｉｎｋの場合、送受信機４０３を介してＢＳＲ ＭＡＣ ＣＥを送信し、ここで、ＢＳＲ ＭＡＣ ＣＥに、Ｄｅｓｔｉｎａｔｉｏｎ ＩＤ、決定されたＤｅｓｔｉｎａｔｉｏｎ ＩＤに対応する論理チャネルグループ情報、および論理チャネルグループに対応するバッファ状態情報が含まれる。
【０１１４】
したがって、異なるリンクのために送信されるＢＳＲ ＭＡＣ ＣＥに含まれる情報が異なるため、ネットワーク側機器は、ＢＳＲ ＭＡＣ ＣＥを受信した後にＢＳＲ ＭＡＣ ＣＥに含まれる情報に従って対応する動作を実行することができ、ネットワーク側の機器の操作は、より正確になる。
【０１１５】
任意選択で、プロセッサ４０２は、複製機能が構成またはアクティブ化されたＲＢに対応する異なる論理チャネルが属する異なる論理チャネルグループを決定するとき、具体的には、複製機能が構成またはアクティブ化されたＲＢに対応する異なる論理チャネルと論理チャネルグループ間の対応関係または計算式に従って、複製機能が構成またはアクティブ化されたＲＢに対応する異なる論理チャネルが属する異なる論理チャネルグループを決定する。
【０１１６】
具体的には、複製機能が構成またはアクティブ化されたＲＢに対応する異なる論理チャネルが属する異なる論理チャネルグループを決定するとき、まず、複製機能が構成またはアクティブ化されたＲＢに対応する１番目の論理チャネルが属する論理チャネルグループを決定し、すなわち、ＲＢがアクティブ化する前に対応する論理チャネルが属する論理チャネルグループを決定してから、対応関係または計算式に従って、ＲＢがアクティブ化した後に新しく追加された論理チャネルが属する論理チャネルグループを決定する。
【０１１７】
したがって、複製機能が構成またはアクティブ化されたＲＢに対応する異なる論理チャネルが属する異なる論理チャネルグループを決定する場合、事前に取得された複製機能が構成またはアクティブ化されたＲＢに対応する異なる論理チャネルと論理チャネルグループ間の対応関係または計算式に従うことにより、端末の操作がより簡単かつ迅速になる。
【０１１８】
任意選択で、計算式は以下の通りである：
【０１１９】
ＬＣＧ ＩＤ＝Ａ＋Ｍ×(ｉ−１)
または、ＬＣＧ ＩＤ＝Ｎ−Ｍ×(ｉ−１)−Ａ
【０１２０】
ここで、ｉは複製機能が構成またはアクティブ化されたＲＢに対応するｉ番目の論理チャネルを表し、ＬＣＧ ＩＤは、複製機能が構成またはアクティブ化されたＲＢに対応するｉ番目の論理チャネルが属する論理チャネルグループのシリアル番号を表し、Ａは、複製機能が構成またはアクティブ化されたＲＢに対応する１番目の論理チャネルが属する論理チャネルグループのシリアル番号を表し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である。
【０１２１】
もちろん、複製機能が構成またはアクティブ化されたＲＢに対応する異なる論理チャネルと論理チャネルグループ間の対応関係，上記の計算式によって得ることができる。
【０１２２】
任意選択で、対応関係および/または計算式は、プロトコルに従って直接指定されるか、またはネットワーク側機器によって構成される。
【０１２３】
したがって、端末は、プロトコルに従って指定することにより、対応関係または計算式を直接得ることができ、また、端末は、ネットワーク側機器による端末の構成を通じて対応関係または計算式を得ることができる。その結果、端末は、当該対応関係または計算式に従って、複製機能が構成またはアクティブ化されたＲＢに対応する異なる論理チャネルが属する異なる論理チャネルグループを決定する。
【０１２４】
任意選択で、ネットワーク側機器が端末に対して対応関係または計算式を構成する場合、プロセッサ４０２はさらに、送受信機４０３を介してブロードキャストまたは専用シグナリングを介してネットワーク側機器によって送信された的有対応関係または計算式的情報が含まれる構成シグナリングを受信する。
【０１２５】
したがって、端末は、対応関係および計算式を取得することができ、その結果、端末は、当該対応関係または計算式に従って、複製機能が構成またはアクティブ化されたＲＢに対応する異なる論理チャネルが属する異なる論理チャネルグループを決定する。
【０１２６】
任意選択で、異なるタイプのリンクによって使用される対応関係または計算式が異なる場合、ブロードキャストまたは専用シグナリングにはリンクの識別子が含まれる必要がある。
【０１２７】
任意選択で、Ｓｉｄｅｌｉｎｋが異なるターゲット端末に対して異なる対応関係または計算式を使用する場合、ブロードキャストまたは専用シグナリングには携帯ターゲット端末識別子が含まれる必要がある。
【０１２８】
ここで、上記の専用シグナリンは、無線リソース制御（Ｒａｄｉｏ Ｒｅｓｏｕｒｃｅ Ｃｏｎｔｒｏｌ，ＲＲＣ）シグナリング、ＭＡＣシグナリング、または物理層シグナリングなどであり得、本明細書では限定されない。
【０１２９】
上記の動作は、指定されたリンク上の複製機能が構成またはアクティブ化された任意のＲＢを対象としているため、複製機能が構成またはアクティブ化されたＲＢに対応する異なる論理チャネルと論理チャネルグループ間の対応関係または計算式は、リンクのタイプと一定の関係がある。つまり、異なるタイプのリンクによって採用される対応関係または計算式は同じであるため、システム操作の複雑さを効果的に減らすことができる。もちろん、端末が異なるリンク上の論理チャネルグループが決定されるときの精度を向上させるために、異なるタイプのリンクによって採用される対応関係または計算も異なる場合があり、このとき、対応関係または計算式は、プロトコルに従って指定されるか、ネットワーク側機器によって構成されるかと関わらず、指示リンクの識別子を示す必要がある。たとえば、ブロードキャストまたは専用シグナリングにリンクの識別子が含まれることにより、リンクのタイプを識別する。
【０１３０】
Ｓｉｄｅｌｉｎｋが端末間リンクであるという事実により、異なるターゲット端末間のＳｉｄｅｌｉｎｋは異なる場合があり、異なるターゲット端末に採用される対応関係または計算式は同じであり、したがってシステム操作の複雑さの削減が可能である。もちろん、異なるターゲット端末に採用されている対応関係または計算式も異なる可能性があり、現時点では、対応関係または計算式は、プロトコルに従って指定されるか、ネットワーク側機器によって構成されるかと関わらず、ターゲット端末の識別子を示す必要がある。たとえば、ブロードキャストまたは専用シグナリングにターゲット端末の識別子が含まれることにより、異なるＳｉｄｅｌｉｎｋを識別する。
【０１３１】
ここで、図４ｂにおいて、バスアーキテクチャは、任意の数の相互接続されたバスおよびブリッジを含み得、特に、プロセッサ４０２によって表される１つ以上のプロセッサの様々な回路およびメモリ４０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。送受信機４０３は、複数の要素であり得る、すなわち、送信機および受信機を含み得、伝送媒体を介して他の様々なデバイスと通信するためのユニットを提供する。異なるユーザ設備に対し、ユーザインターフェース４０４は、外部接続または内部接続に必要な設備のインターフェースであることもできる。接続する設備は、キーパッド、ディスプレー、スピーカー、マイクロホン、ジョイスティック等を備えるが、これに限られない。
【０１３２】
プロセッサ４０２は、バスアーキテクチャ及び通常の処理を管理し、メモリ４０１は、プロセッサ４０２が動作する際に利用するデータを記憶することができる。
【０１３３】
本発明の実施形態におけるプロセッサ４０２は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）、または複雑なプログラマブル論理デバイス（ｃｏｍｐｌｅｘ Ｐｒｏｇｒａｍｍａｂｌｅ Ｌｏｇｉｃ Ｄｅｖｉｃｅ，ＣＰＬＤ）であってよい。
【０１３４】
同じ思想に基づいて、本発明の実施形態は、図５に示されるような、端末などの別のバッファ状態報告のための装置を提供し、当該装置は、
指定されたリンク上複製機能が構成またはアクティブ化された任意のＲＢについて、複製機能が構成またはアクティブ化されたＲＢに対応する異なる論理チャネルが属する異なる論理チャネルグループを決定するために使用される決定ユニット５０１と、
バッファ状態報告条件が満たされたときに、論理チャネルグループのバッファ状態情報に基づいてバッファ状態情報を報告するために使用される報告ユニット５０２とを備える。
【０１３５】
本発明の実施形態では、上述の決定ユニット５０１および報告ユニット５０２の両方は、プロセッサなどの物理デバイスによって実施することができる。
【０１３６】
同じ思想に基づいて、本発明の実施形態は、図６ａに示すように、基地局および他のネットワーク側機器などのバッファ状態を決定するための装置を提供し、当該装置は、
プログラムコマンドを格納するために使用されるメモリ６０２と、
メモリ６０２に格納されたプログラムコマンドを呼び出し、取得したプログラムに従って以下の操作を実行するために使用されるプロセッサ６０１とを備える。
【０１３７】
前記プロセッサ６０１は、送受信機を介して６０３論理チャネルグループのバッファ状態情報に基づいて端末によって報告されたバッファ状態情報を受信し、ここで、特定のリンク上複製機能が構成またはアクティブ化された任意のＲＢについて、対応する異なる論理チャネルが属する論理チャネルグループは異なる。
【０１３８】
論理チャネルグループのバッファ状態情報に基づいて報告されたバッファ状態情報から端末の現在のバッファ状態を取得する。
【０１３９】
端末によって報告されたバッファ状態情報がネットワーク側機器によって受信された後、ネットワーク側機器は、複製機能が構成またはアクティブ化されたＲＢに対応する異なる論理チャネルのデータが異なる物理リソース上で送信できるように、データをスケジューリングする。それにより、データ転送の信頼性を確保しながら送信遅延を削減できる。
【０１４０】
任意選択で、プロセッサ６０１はさらに、受信されたバッファ状態情報に従って複製機能が構成またはアクティブ化されたＲＢに対応する複数の異なる論理チャネルグループを決定する。端末の現在のバッファ状態、および複製機能が構成またはアクティブ化されたＲＢに対応する異なる論理チャネルと論理チャネルグループ間の対応関係または計算式に従って、複製機能が構成またはアクティブ化されたＲＢベアラの異なる論理チャネルグループに対応するデータを異なる物理リソースにスケジューリングする。
【０１４１】
したがって、ネットワーク側機器が異なる論理チャネルグループに対応する同じデータをスケジューリングするとき同じデータを異なる物理リソースにスケジューリングできるので、伝送信頼性が向上し、伝送遅延が減少する。
【０１４２】
もちろん、上記の物理リソースは、キャリアリソースであってもよく、帯域幅部分（Ｂａｎｄ Ｗｉｄｔｈ Ｐａｒｔ，ＢＷＰ）であってもよく、またはトランスポートブロック（Ｔｒａｎｓｐｏｒｔ Ｂｌｏｃｋ，ＴＢ）などの物理リソースであってもよく、ここに限定されない。
【０１４３】
任意選択で、対応関係および/または計算式は、プロトコルに従って直接指定されるか、またはネットワーク側機器によって決定された後に前記端末のために構成される。
【０１４４】
任意選択で、端末に対して対応関係または計算式を構成するモードは次のとおりである。
【０１４５】
ブロードキャストまたは専用シグナリングを介して端末に対応関係または計算式的情報が含まれる構成シグナリングを送信する。
【０１４６】
ここで、図６ｂにおいて、バスアーキテクチャは、任意の数の相互接続されたバスおよびブリッジを含み得、特に、プロセッサ６０１によって表される１つ以上のプロセッサの様々な回路およびメモリ６０２によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。送受信機６０３は、複数の要素であり得る、すなわち、送信機および受信機を含み得、伝送媒体を介して他の様々なデバイスと通信するためのユニットを提供する。プロセッサ６０１は、バスアーキテクチャ及び通常の処理を管理し、メモリ６０２は、プロセッサ６０１が動作する際に利用するデータを記憶することができる。
【０１４７】
本発明の実施形態におけるプロセッサ６０１は、中央処理装置（ＣＰＵ）、ＡＳＩＣ、ＦＰＧＡ、またはＣＰＬＤであってもよい。
【０１４８】
同じ思想に基づいて、本発明の実施形態は、図７に示されるように、基地局および他のネットワーク側機器などの別のバッファ状態を決定するための装置を提供し、当該装置は、
論理チャネルグループのバッファ状態情報に基づいて端末によって報告されたバッファ状態情報を受信するために使用される受信ユニット７０１と、
論理チャネルグループのバッファ状態情報に基づいて報告されたバッファ状態情報から端末の現在のバッファ状態を取得するために使用される取得ユニット７０２とを備える。
【０１４９】
ここで、特定のリンク上複製機能が構成またはアクティブ化された任意のＲＢについて、対応する異なる論理チャネルが属する論理チャネルグループは異なる。
【０１５０】
本発明の実施形態では、上述の受信ユニット７０１および取得ユニット７０２の両方が、プロセッサなどの物理的構造によって実施され得る。
【０１５１】
本発明の実施形態で言及される任意のメモリは、読み取り専用メモリ（ＲＯＭ）およびランダムアクセスメモリ（ＲＡＭ）を含むことができ、メモリに格納されたプログラムコマンドおよびデータをプロセッサに提供することに留意されたい。本発明の実施形態では、メモリは、本発明の実施形態によって提供される任意の方法の手順を格納するために使用することができる。
【０１５２】
プロセッサは、メモリに格納されたプログラムコマンドを呼び出すことにより、取得されたプログラムコマンドに従って、本発明の実施形態によって提供される任意の方法を実行するために使用される。
【０１５３】
同じ思想に基づいて、本発明の実施形態は、バッファ状態報告方法を提供する。この方法の原理は、上述のバッファ状態報告のための装置の原理と類似しているので、この方法の特定の実施は、バッファ状態報告のための装置の特定の実施形態を参照することができ、繰り返しの説明はここでは繰り返さない。
【０１５４】
具体的には、図８に示すように、本発明の一実施形態によって提供されるバッファ状態報告のための方法は、以下を含むことができる。
【０１５５】
Ｓ８０１：指定されたリンク上複製機能が構成またはアクティブ化された任意のＲＢについて、複製機能が構成またはアクティブ化されたＲＢに対応する異なる論理チャネルが属する異なる論理チャネルグループを決定する。
【０１５６】
Ｓ８０２：バッファ状態報告条件が満たされたときに、論理チャネルグループのバッファ状態情報に基づいてバッファ状態情報を報告する。
【０１５７】
任意選択で、リンクは、端末から端末へのＳｉｄｅｌｉｎｋまたは端末からネットワーク側機器へのＵｕ ｌｉｎｋである。
【０１５８】
任意選択で、論理チャネルグループのバッファ状態情報に基づいてバッファ状態情報を報告することは、具体的に、
複製機能が構成またはアクティブ化されたＲＢに対応する異なる論理チャネルのバッファ状態異なる論理チャネルグループのバッファ状態情報を報告する。
【０１５９】
任意選択で、複製機能が構成またはアクティブ化されたＲＢに対応する異なる論理チャネルのバッファ状態に基づいて、異なる論理チャネルグループのバッファ状態情報を報告することは、具体的に、
Ｕｕ ｌｉｎｋの場合、ＢＳＲ ＭＡＣ ＣＥを送信し、ここで、ＢＳＲ ＭＡＣ ＣＥに、決定された論理チャネルグループ情報および論理チャネルグループに対応するバッファ状態情報が含まれる。
【０１６０】
Ｓｉｄｅｌｉｎｋの場合、ＢＳＲ ＭＡＣ ＣＥを送信し、ここで、ＢＳＲ ＭＡＣ ＣＥにＤｅｓｔｉｎａｔｉｏｎ ＩＤ、決定された、Ｄｅｓｔｉｎａｔｉｏｎ ＩＤに対応する論理チャネルグループ情報、および論理チャネルグループに対応するバッファ状態情報が含まれる。
【０１６１】
任意選択で、複製機能が構成またはアクティブ化されたＲＢに対応する異なる論理チャネルが属する異なる論理チャネルグループを決定することは具体的に、
複製機能が構成またはアクティブ化されたＲＢに対応する異なる論理チャネルと論理チャネルグループ間の対応関係または計算式に従って、複製機能が構成またはアクティブ化されたＲＢに対応する異なる論理チャネルが属する異なる論理チャネルグループを決定する。
【０１６２】
任意選択で、計算式は以下とおりである。
【０１６３】
ＬＣＧ ＩＤ＝Ａ＋Ｍ×(ｉ−１)
または、ＬＣＧ ＩＤ＝Ｎ−Ｍ×(ｉ−１)−Ａ
【０１６４】
ここで、ｉは複製機能が構成またはアクティブ化されたＲＢに対応するｉ番目の論理チャネルを表し、ＬＣＧ ＩＤは、複製機能が構成またはアクティブ化されたＲＢに対応するｉ番目の論理チャネルが属する論理チャネルグループのシリアル番号を表し、Ａは、複製機能が構成またはアクティブ化されたＲＢに対応する１番目の論理チャネルが属する論理チャネルグループのシリアル番号を表し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である。
【０１６５】
任意選択で、対応関係および/または計算式は、プロトコルに従って直接指定されるか、またはネットワーク側機器によって構成される。
【０１６６】
任意選択で、ネットワーク側機器が端末に対して対応関係または計算式を構成するとき、当該方法ではさらに、
ブロードキャストまたは専用シグナリングを介してネットワーク側機器によって送信された的有対応関係または計算式的情報が含まれる構成シグナリングを受信する。
【０１６７】
任意選択で、異なるタイプのリンクによって使用される対応関係または計算式が異なる場合、ブロードキャストまたは専用シグナリングにはリンクの識別子が含まれる必要がある。
【０１６８】
任意選択で、Ｓｉｄｅｌｉｎｋが異なるターゲット端末に対して異なる対応関係または計算式を使用する場合、ブロードキャストまたは専用シグナリングには携帯ターゲット端末識別子が含まれる必要がある。
【０１６９】
同じ思想に基づいて、本発明の実施形態は、バッファ状態決定のための方法を提供する。この方法の原理は、上述のバッファ状態決定装置の原理と類似しているので、この方法の特定の実施は、バッファ状態決定装置の特定の実施形態を参照することができ、ここでは繰り返しの説明は繰り返さない。
【０１７０】
具体的には、図９に示すように、本発明の実施形態によって提供されるバッファ状態決定のための方法は、以下を含むことができる。
【０１７１】
Ｓ９０１：論理チャネルグループのバッファ状態情報に基づいて端末によって報告されたバッファ状態情報を受信し、ここで、特定のリンク上複製機能が構成またはアクティブ化された任意のＲＢについて、対応する異なる論理チャネルが属する論理チャネルグループは異なる。
【０１７２】
Ｓ９０２：論理チャネルグループのバッファ状態情報に基づいて報告されたバッファ状態情報から端末の現在のバッファ状態を取得する。
【０１７３】
任意選択で、当該方法では、さらに、受信されたバッファ状態情報に従って複製機能が構成またはアクティブ化されたＲＢに対応する複数の異なる論理チャネルグループを決定する。
【０１７４】
端末の現在のバッファ状態、および複製機能が構成またはアクティブ化されたＲＢに対応する異なる論理チャネルと論理チャネルグループ間の対応関係または計算式に従って、複製機能が構成またはアクティブ化されたＲＢベアラの異なる論理チャネルグループに対応するデータを異なる物理リソースにスケジューリングする。
【０１７５】
任意選択で、対応関係および/または計算式は、プロトコルに従って直接指定されるか、またはネットワーク側機器によって決定された後に前記端末のために構成される。
【０１７６】
任意選択で、端末に対して対応関係または計算式を構成するモードは、以下のとおりであってもよい。
【０１７７】
ブロードキャストまたは専用シグナリングを介して端末に対応関係または計算式的情報が含まれる構成シグナリングを送信する。
【０１７８】
データスケジューリング方式は、特定の実施形態と組み合わせて以下で説明される。
【０１７９】
第１の実施形態：
この実施形態では、Ｓｉｄｅｌｉｎｋについて、構成またはアクティブ化された複製機能を備えたＲＢに対応する異なる論理チャネル間の対応関係が、プロトコルに従って直接指定される、例として取り上げられ、図１０に示すようである。ここで、本発明の実施形態における端末は、直接通信送信端末を指す。
【０１８０】
Ｓ１００１：端末は、Ｓｉｄｅｌｉｎｋ上に複製機能が構成またはアクティブ化されたＲＢの有無を判断し、「有」であれば、ステップＳ１００２を実行し、「無」であれば、プロセスを終了する。
【０１８１】
Ｓ１００２：端末は、複製機能が構成またはアクティブ化されたＲＢに対応する異なる論理チャネルと論理チャネルグループ間の対応関係に従って、複製機能が構成またはアクティブ化されたＲＢに対応する異なる論理チャネルが属する異なる論理チャネルグループを決定する。
【０１８２】
Ｓ１００３：端末は、ネットワーク側機器にＳｉｄｅｌｉｎｋ ＢＳＲ ＭＡＣ ＣＥを送信する。
【０１８３】
Ｓ１００４：ネットワーク側機器は、端末からＳｉｄｅｌｉｎｋ ＢＳＲ ＭＡＣ ＣＥを受信する。
【０１８４】
Ｓ１００５：ネットワーク側機器は、Ｓｉｄｅｌｉｎｋ ＢＳＲ ＭＡＣ ＣＥから現在のバッファ状態を取得する。
【０１８５】
Ｓ１００６：ネットワーク側機器は、Ｓｉｄｅｌｉｎｋ ＢＳＲ ＭＡＣ ＣＥに従って、複製機能が構成またはアクティブ化されたＲＢに対応する複数の異なる論理チャネルグループを決定する。
【０１８６】
Ｓ１００７：ネットワーク側機器は、端末の現在のバッファ状態、および複製機能が構成またはアクティブ化されたＲＢに対応する異なる論理チャネルと論理チャネルグループ間の対応関係に従って、複製機能が構成またはアクティブ化されたＲＢベアラの異なる論理チャネルグループに対応するデータを異なるキャリアにスケジューリングする。
【０１８７】
第２の実施形態：
この実施形態では、Ｓｉｄｅｌｉｎｋについて、複製機能が構成またはアクティブ化されたＲＢに対応する異なる論理チャネル間の計算式が、プロトコルに従って直接指定されることを、例示のために取り上げられる。本発明の実施の形態における端末とは、直接通信送信端末を指す。
【０１８８】
第２の実施形態と第１の実施形態との間の違いの１つはＳ１００２にあり、第２の実施形態では、このステップは、端末は、複製機能が構成またはアクティブ化されたＲＢに対応する異なる論理チャネルと論理チャネルグループ間の計算式に従って、複製機能が構成またはアクティブ化されたＲＢに対応する異なる論理チャネルが属する異なる論理チャネルグループを決定する。
【０１８９】
第２の実施形態と第１の実施形態との第２の相違は、Ｓ１００７にあり、第２の実施形態では、このステップは、ネットワーク側機器は、端末の現在のバッファ状態、および複製機能が構成またはアクティブ化されたＲＢに対応する異なる論理チャネルと論理チャネルグループ間の計算式に従って、複製機能が構成またはアクティブ化されたＲＢベアラの異なる論理チャネルグループに対応するデータを異なるキャリアにスケジューリングする。
【０１９０】
第３の実施形態：
この実施形態では、Ｓｉｄｅｌｉｎｋについて、複製機能が構成またはアクティブ化されたＲＢに対応する異なる論理チャネル間の対応関係が、例としてネットワーク側機器によって端末用に構成されているとする。本発明の実施の形態における端末とは、直接通信送信端末を指す。
【０１９１】
第３の実施形態と第１の実施形態との違いは、Ｓ１００１の前に、ネットワーク側機器は、ブロードキャストまたは専用シグナリングを介して、端末に複製機能が構成またはアクティブ化されたＲＢに対応する異なる論理チャネルと論理チャネルグループ間の対応関係的情報が含まれる構成シグナリングを送信するステップがさらに含まれる。
【０１９２】
第４の実施形態：
この実施形態では、Ｓｉｄｅｌｉｎｋについて、ネットワーク側機器が端末に対して複製機能が構成またはアクティブ化されたＲＢに対応する異なる論理チャネルと論理チャネルグループ間の計算式を構成することを例として説明する。
【０１９３】
第４の実施形態と第３の実施形態との違いは、第４の実施形態における対応関係が第５の実施形態における計算式であることである。
【０１９４】
第５の実施形態：
第５の実施形態では、Ｕｕ ｌｉｎｋについて、複製機能が構成またはアクティブ化されたＲＢに対応する異なる論理チャネルと論理チャネルグループ間の対応関係が、プロトコルに従って直接指定されることが、例として取り上げられ、図１１に示すようである。
【０１９５】
Ｓ１１０１：端末は、Ｕｕ ｌｉｎｋ上に複製機能が構成またはアクティブ化されたＲＢの有無を判断し、「有」であれば、ステップＳ１１０２を実行し、「無」であればプロセスは終了する。
【０１９６】
Ｓ１１０２：端末は、複製機能が構成またはアクティブ化されたＲＢに対応する異なる論理チャネルと論理チャネルグループ間の対応関係に従って、複製機能が構成またはアクティブ化されたＲＢに対応する異なる論理チャネルが属する異なる論理チャネルグループを決定する。
【０１９７】
Ｓ１１０３：端末は、ネットワーク側機器にＵｕ ｌｉｎｋ ＢＳＲ ＭＡＣ ＣＥを送信する。
【０１９８】
Ｓ１１０４：ネットワーク側機器は端末からＵｕ ｌｉｎｋ ＢＳＲ ＭＡＣ ＣＥを受信する。
【０１９９】
Ｓ１１０５：ネットワーク側機器は、Ｕｕ ｌｉｎｋ ＢＳＲ ＭＡＣ ＣＥから現在のバッファ状態を取得する。
【０２００】
Ｓ１１０６：ネットワーク側機器は、Ｕｕ ｌｉｎｋ ＢＳＲ ＭＡＣ ＣＥに従って複製機能が構成またはアクティブ化されたＲＢに対応する複数の異なる論理チャネルグループを決定する。
【０２０１】
Ｓ１１０７：ネットワーク側機器は、端末の現在のバッファ状態、および複製機能が構成またはアクティブ化されたＲＢに対応する異なる論理チャネルと論理チャネルグループ間の対応関係に従って、複製機能が構成またはアクティブ化されたＲＢベアラの異なる論理チャネルグループに対応するデータを異なるキャリアにスケジューリングする。
【０２０２】
第６の実施形態：
この実施形態では、Ｕｕ ｌｉｎｋについて、複製機能が構成またはアクティブ化されたＲＢに対応する異なる論理チャネル間の計算式が、プロトコルに従って直接指定されることを、例として取り上げられる。
【０２０３】
第６の実施形態と第５の実施形態との間の違いの１つはＳ１１０２にあり、第６の実施形態では、このステップは、端末は、複製機能が構成またはアクティブ化されたＲＢに対応する異なる論理チャネルと論理チャネルグループ間の計算式に従って、複製機能が構成またはアクティブ化されたＲＢに対応する異なる論理チャネルが属する異なる論理チャネルグループを決定する。
【０２０４】
第６の実施形態と第５の実施形態との間の第２の相違は、Ｓ１１０７にあり、第６の実施形態では、このステップは、ネットワーク側機器は、端末の現在のバッファ状態、複製機能が構成またはアクティブ化されたＲＢに対応する異なる論理チャネルと論理チャネルグループ間の計算式に従って、複製機能が構成またはアクティブ化されたＲＢベアラの異なる論理チャネルグループに対応するデータを異なるキャリアにスケジューリングする。
【０２０５】
第７の実施形態：
この実施形態では、Ｕｕ ｌｉｎｋについて、ネットワーク側機器が端末に対して複製機能が構成またはアクティブ化されたＲＢに対応する異なる論理チャネルと論理チャネルグループ間の対応関係を構成することを例として説明する。
【０２０６】
第７の実施形態と第６の実施形態との違いは、Ｓ１１０１の前に、ネットワーク側機器は、ブロードキャストまたは専用シグナリングを介して端末に複製機能が構成またはアクティブ化されたＲＢに対応する異なる論理チャネルと論理チャネルグループ間の対応関係的情報が含まれる構成シグナリングを送信するステップをさらに含むことにある。
【０２０７】
第８の実施形態：
この実施形態では、Ｕｕ ｌｉｎｋについて、ネットワーク側機器が端末に対して複製機能が構成またはアクティブ化されたＲＢに対応する異なる論理チャネルと論理チャネルグループ間の計算式を構成することを例として説明する。
【０２０８】
第８の実施形態と第７の実施形態との違いは、第７の実施形態における対応関係が第８の実施形態における計算式であることである。
【０２０９】
本発明の実施形態は、コンピュータ実行可能コマンドが格納されているコンピュータ記憶媒体を提供し、コンピュータ実行可能コマンドは、コンピュータに上記いずれかの方法を実行するようにする。
【０２１０】
コンピュータ記憶媒体は、コンピュータによってアクセスできる任意の利用可能な媒体またはデータ記憶装置とすることができる。磁気メモリ（フロッピーディスク、ハードディスク、磁気テープ、光磁気ディスク（ＭＯ））、工学メモリ（ＣＤ、ＤＶＤ、ＢＤ、ＨＶＤなど）、および半導体メモリ（ＲＯＭ、ＥＰＲＯＭ、ＥＥＰＲＯＭ、不揮発性メモリ（ＮＡＮＤなど） ＦＬＡＳＨ（登録商標））およびソリッドステートドライブ（ＳＳＤ）などを含む。
【０２１１】
本発明の実施形態で言及される端末は、ユーザ機器（Ｕｓｅｒ Ｅｑｕｉｐｍｅｎｔ，ＵＥ）、移動局（Ｍｏｂｉｌｅ Ｓｔａｔｉｏｎ，ＭＳ）、移動端末（Ｍｏｂｉｌｅ Ｔｅｒｍｉｎａｌ）などと呼ばれることもあることに留意されたい。端末は、オプションで、無線アクセスネットワーク（Ｒａｄｉｏ Ａｃｃｅｓｓ Ｎｅｔｗｏｒｋ，ＲＡＮ）を介して１つまたは複数のコアネットワークと通信する機能を備える。例えば、端末は携帯電話（またはセルラー電話と呼ばれる）またはモバイルコンピュータ、例えば、端末は、ポータブル、ポケット、ハンドヘルド、コンピュータ内蔵または車両搭載のモバイルデバイスでもよい。
【０２１２】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ Ｎｏｄｅ Ｂ）であってもよいが、本発明をそれに限定しない。
【０２１３】
方法の処理フローは、記憶媒体に記憶され得るソフトウェアプログラムによって実現され得、記憶されたソフトウェアプログラムが呼び出されると、方法のステップが実行される。
【０２１４】
結論として、複製機能が構成またはアクティブ化されたＲＢについて、ＲＢに対応する異なる論理チャネルが属する異なる論理チャネルグループが決定されるため、論理チャネルグループのバッファ状態情報に基づいてバッファ状態情報を報告することになる。ネットワーク側機器が報告されたバッファ状態情報を受信した後、複製機能が構成またはアクティブ化されたＲＢに対応する異なる論理チャネルのデータをスケジューリングして異なる物理リソース上で送信できるので、データ転送の信頼性を確保しながら送信遅延を削減できる。
【０２１５】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つまたは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０２１６】
以上は本発明の実施形態の方法、装置（システム）、およびコンピュータプログラム製品のフロー図および／またはブロック図によって、本発明を記述した。理解すべきことは、コンピュータプログラムコマンドによって、フロー図および／またはブロック図における各フローおよび／またはブロックと、フロー図および／またはブロック図におけるフローおよび／またはブロックの結合を実現できる。プロセッサはこれらのコンピュータプログラムコマンドを、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラムコマンドを実行し、フロー図における一つまたは複数のフローおよび／またはブロック図における一つまたは複数のブロックに指定する機能を実現する。
【０２１７】
これらのコンピュータプログラムコマンドは、又、コンピュータまたは他のプログラム可能なデータ処理装置を特定方式で動作させるコンピュータ読取記憶装置に記憶できる。これによって、コマンドを含む装置は当該コンピュータ読取記憶装置内のコマンドを実行でき、フロー図における一つまたは複数のフローおよび／またはブロック図における一つまたは複数のブロックに指定する機能を実現する。
【０２１８】
これらコンピュータプログラムコマンドはさらに、コンピュータまたは他のプログラム可能なデータ処理装置設備に実装もできる。コンピュータプログラムコマンドが実装されたコンピュータまたは他のプログラム可能設備は、一連の操作ステップを実行することによって、関連の処理を実現し、コンピュータまたは他のプログラム可能な設備において実行されるコマンドによって、フロー図における一つまたは複数のフローおよび／またはブロック図における一つまたは複数のブロックに指定する機能を実現する。
【０２１９】
上述した実施形態に記述された技術的な解決手段を改造し、またはその中の一部の技術要素を置換することもできる。そのような、改造と置換は本発明の各実施形態の技術の範囲から逸脱するとは見なされない。
【０２２０】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２２１】
301  ネットワーク側機器
302  端末
401  メモリ
402  プロセッサ
403  送受信機
404  ユーザインターフェース
501  決定ユニット
502  報告ユニット
601  プロセッサ
602  メモリ
603  送受信機
701  受信ユニット
702  取得ユニット
【図１】
2021513291.tif 000004
【図２】
2021513291.tif 000005
【図３】
2021513291.tif 000006
【図４ａ】
2021513291.tif 000007
【図４ｂ】
2021513291.tif 000008
【図５】
2021513291.tif 000009
【図６ａ】
2021513291.tif 000010
【図６ｂ】
2021513291.tif 000011
【図７】
2021513291.tif 000012
【図８】
2021513291.tif 000013
【図９】
2021513291.tif 000014
【図１０】
2021513291.tif 000015
【図１１】
2021513291.tif 000016
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
指定されたリンク上複製機能が構成またはアクティブ化された任意の無線ベアラＲＢについて、前記複製機能が構成またはアクティブ化されたＲＢに対応する異なる論理チャネルが異なる論理チャネルグループに属することを決定するステップと、
バッファ状態報告条件が満たされたときに、前記論理チャネルグループのバッファ状態情報に基づいてバッファ状態情報を報告するステップとを備える、ことを特徴とするバッファ状態報告のための方法。
【請求項２】
前記リンクは、端末間直接通信リンク（Ｓｉｄｅｌｉｎｋ）または端末からネットワーク側機器への通信リンク（Ｕｕ ｌｉｎｋ）であることを特徴とする請求項１に記載のバッファ状態報告のための方法。
【請求項３】
前記論理チャネルグループに基づいてバッファ状態を報告することは、
複製機能が構成またはアクティブ化されたＲＢに対応する異なる論理チャネルのバッファ状態に基づいて、異なる論理チャネルグループのバッファ状態情報を報告する、ことを特徴とする請求項２に記載のバッファ状態報告のための方法。
【請求項４】
複製機能が構成またはアクティブ化されたＲＢに対応する異なる論理チャネルのバッファ状態異なる論理チャネルグループのバッファ状態情報を報告することは、
Ｕｕ ｌｉｎｋの場合、バッファ状態報告（ＢＳＲ）メディアアクセスコントロール要素（Ｍｅｄｉａ Ａｃｃｅｓｓ Ｃｏｎｔｒｏｌ  Ｃｏｎｔｒｏｌ Ｅｌｅｍｅｎｔ,ＭＡＣ ＣＥ）を送信し、ここで、前記ＢＳＲ ＭＡＣ ＣＥに、決定された前記論理チャネルグループ情報および前記論理チャネルグループに対応するバッファ状態情報が含まれ、
Ｓｉｄｅｌｉｎｋの場合、ＢＳＲ ＭＡＣ ＣＥを送信し、ここで、前記ＢＳＲ ＭＡＣ ＣＥには、ターゲット端末識別子（Ｄｅｓｔｉｎａｔｉｏｎ ＩＤ）、前記Ｄｅｓｔｉｎａｔｉｏｎ ＩＤに対応する論理チャネルグループ情報および前記論理チャネルグループに対応するバッファ状態情報が含まれることを特徴とする請求項３に記載のバッファ状態報告のための方法。
【請求項５】
前記複製機能が構成またはアクティブ化されたＲＢに対応する異なる論理チャネルが異なる論理チャネルグループに属することを決定することは、
前記複製機能が構成またはアクティブ化されたＲＢに対応する異なる論理チャネルと論理チャネルグループ間の対応関係または計算式に従って、前記複製機能が構成またはアクティブ化されたＲＢに対応する異なる論理チャネルが異なる論理チャネルグループに属することを決定する、ことを特徴とする請求項２に記載のバッファ状態報告のための方法。
【請求項６】
前記計算式が以下の通りであり、
ＬＣＧ ＩＤ＝Ａ＋Ｍ×(ｉ−１)
または、ＬＣＧ ＩＤ＝Ｎ−Ｍ×(ｉ−１)−Ａ
ここで、ｉは前記複製機能が構成またはアクティブ化されたＲＢに対応するｉ番目の論理チャネルを示し、ＬＣＧ ＩＤは、前記複製機能が構成またはアクティブ化されたＲＢに対応するｉ番目の論理チャネルが属する論理チャネルグループのシリアル番号を示し、Ａは、前記複製機能が構成またはアクティブ化されたＲＢに対応する１番目の論理チャネルが属する論理チャネルグループのシリアル番号を示し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である、ことを特徴とする請求項５に記載のバッファ状態報告のための方法。
【請求項７】
前記対応関係および/または前記計算式は、プロトコルに従って直接指定されるか、またはネットワーク側機器によって構成される、ことを特徴とする請求項５に記載のバッファ状態報告のための方法。
【請求項８】
前記ネットワーク側機器が端末に対して前記対応関係または前記計算式を構成する場合、
ブロードキャストまたは専用シグナリングを介して前記ネットワーク側機器によって送信された前記対応関係または前記計算式の情報を運ぶ構成シグナリングを受信する、ことを特徴とする請求項７に記載のバッファ状態報告のための方法。
【請求項９】
異なるタイプのリンクによって使用される前記対応関係または前記計算式が異なる場合、前記ブロードキャストまたは専用シグナリングは、前記リンクの識別子を運ぶ必要がある、ことを特徴とする請求項８に記載のバッファ状態報告のための方法。
【請求項１０】
Ｓｉｄｅｌｉｎｋリンクが異なるターゲット端末に対して採用された前記対応関係または前記計算式が異なる場合、前記ブロードキャストまたは専用シグナリング識別子はターゲット端末識別子を運ぶ必要があることを特徴とする請求項８に記載のバッファ状態報告のための方法。
【請求項１１】
論理チャネルグループのバッファ状態情報に基づいて端末によって報告されたバッファ状態情報を受信するステップと、
前記論理チャネルグループのバッファ状態情報に基づいて報告されたバッファ状態情報から前記端末の現在のバッファ状態を取得するステップとを備え、
ここで、特定のリンク上複製機能が構成またはアクティブ化された任意のＲＢについて、対応する異なる論理チャネルが属する論理チャネルグループは異なる、ことを特徴とするバッファ状態を決定するための方法。
【請求項１２】
受信された前記バッファ状態情報に従って前記複製機能が構成またはアクティブ化されたＲＢに対応する複数の異なる論理チャネルグループを決定し、
前記端末の現在のバッファ状態、前記複製機能が構成またはアクティブ化されたＲＢに対応する異なる論理チャネルと論理チャネルグループ間の対応関係または計算式に従って、前記複製機能が構成またはアクティブ化されたＲＢベアラの異なる論理チャネルグループに対応するデータを、異なる物理リソース上で伝送するようにスケジューリングする、ことを特徴とする請求項１１に記載のバッファ状態を決定するための方法。
【請求項１３】
前記対応関係および/または前記計算式は、プロトコルに従って直接指定されるか、またはネットワーク側機器によって決定された後に前記端末のために構成され、
前記対応関係または前記計算式を前記端末に対して構成するモードは、
ブロードキャストまたは専用シグナリングを介して前記端末に前記対応関係または前記計算式の情報を運ぶ構成シグナリングを送信する、ことを特徴とする請求項１２に記載のバッファ状態を決定するための方法。
【請求項１４】
指定されたリンク上複製機能が構成またはアクティブ化された任意のＲＢについて、前記複製機能が構成またはアクティブ化されたＲＢに対応する異なる論理チャネルが異なる論理チャネルグループに属することを決定するために使用される決定ユニットと、
バッファ状態報告条件が満たされたときに、前記論理チャネルグループのバッファ状態情報に基づいてバッファ状態情報を報告するために使用される報告ユニットとを備える、ことを特徴とするバッファ状態報告のための装置。
【請求項１５】
前記リンクは、端末間直接通信リンク（Ｓｉｄｅｌｉｎｋ）または端末からネットワーク側機器への通信リンク（Ｕｕ ｌｉｎｋ）である、ことを特徴とする請求項１４に記載のバッファ状態報告のための装置。
【請求項１６】
前記報告ユニットは、複製機能が構成またはアクティブ化されたＲＢに対応する異なる論理チャネルのバッファ状態に基づいて、異なる論理チャネルグループのバッファ状態情報を報告することを特徴とする請求項１５に記載のバッファ状態報告のための装置。
【請求項１７】
前記報告ユニットは、Ｕｕ ｌｉｎｋの場合、バッファ状態報告（ＢＳＲ）メディアアクセスコントロール要素（Ｍｅｄｉａ Ａｃｃｅｓｓ Ｃｏｎｔｒｏｌ  Ｃｏｎｔｒｏｌ Ｅｌｅｍｅｎｔ,ＭＡＣ ＣＥ）を送信し、ここで、前記ＢＳＲ ＭＡＣ ＣＥに、決定された前記論理チャネルグループ情報および前記論理チャネルグループに対応するバッファ状態情報が含まれ、
Ｓｉｄｅｌｉｎｋの場合、ＢＳＲ ＭＡＣ ＣＥを送信し、ここで、前記ＢＳＲ ＭＡＣ ＣＥには、ターゲット端末識別子（Ｄｅｓｔｉｎａｔｉｏｎ ＩＤ）、前記Ｄｅｓｔｉｎａｔｉｏｎ ＩＤに対応する論理チャネルグループ情報および前記論理チャネルグループに対応するバッファ状態情報が含まれる、ことを特徴とする請求項１６に記載のバッファ状態報告のための装置。
【請求項１８】
前記決定ユニットは、前記複製機能が構成またはアクティブ化されたＲＢに対応する異なる論理チャネルと論理チャネルグループ間の対応関係または計算式に従って、前記複製機能が構成またはアクティブ化されたＲＢに対応する異なる論理チャネルが異なる論理チャネルグループに属することを決定する、ことを特徴とする請求項１５に記載のバッファ状態報告のための装置。
【請求項１９】
前記計算式が以下の通りであり、
ＬＣＧ ＩＤ＝Ａ＋Ｍ×(ｉ−１)
または、ＬＣＧ ＩＤ＝Ｎ−Ｍ×(ｉ−１)−Ａ
ここで、ｉは前記複製機能が構成またはアクティブ化されたＲＢに対応するｉ番目の論理チャネルを示し、ＬＣＧ ＩＤは、前記複製機能が構成またはアクティブ化されたＲＢに対応するｉ番目の論理チャネルが属する論理チャネルグループのシリアル番号を示し、Ａは、前記複製機能が構成またはアクティブ化されたＲＢに対応する１番目の論理チャネルが属する論理チャネルグループのシリアル番号を示し、Ｍは、複製機能が構成またはアクティブ化された１つのＲＢに対応する論理チャネルの数を示し、Ｎはシステムでサポートされている論理チャネルグループのシリアル番号の最大値を示し、ｉはＭ以下であり、Ｍは２以上の整数である、ことを特徴とする請求項１８に記載のバッファ状態報告のための装置。
【請求項２０】
前記対応関係および/または前記計算式は、プロトコルに従って直接指定されるか、またはネットワーク側機器によって構成される、ことを特徴とする請求項１８に記載のバッファ状態報告のための装置。
【請求項２１】
前記ネットワーク側機器が端末に対して前記対応関係または前記計算式を構成する場合、前記決定ユニットは、
ブロードキャストまたは専用シグナリングを介して前記ネットワーク側機器によって送信された前記対応関係または前記計算式の情報を運ぶ構成シグナリングを受信する、ことを特徴とする請求項２０に記載のバッファ状態報告のための装置。
【請求項２２】
異なるタイプのリンクによって使用される前記対応関係または前記計算式が異なる場合、前記ブロードキャストまたは専用シグナリングは、前記リンクの識別子を運ぶ必要がある、ことを特徴とする請求項２１に記載のバッファ状態報告のための装置。
【請求項２３】
Ｓｉｄｅｌｉｎｋリンクが異なるターゲット端末に対して採用された前記対応関係または前記計算式が異なる場合、前記ブロードキャストまたは専用シグナリン識別子はターゲット端末識別子を運ぶ必要がある、ことを特徴とする請求項２１に記載のバッファ状態報告のための装置。
【請求項２４】
論理チャネルグループのバッファ状態情報に基づいて端末によって報告されたバッファ状態情報を受信するために使用される受信ユニットと、
前記論理チャネルグループのバッファ状態情報に基づいて報告されたバッファ状態情報から前記端末の現在のバッファ状態を取得するために使用される取得ユニットとを備え、
特定のリンク上複製機能が構成またはアクティブ化された任意のＲＢについて、対応する異なる論理チャネルが属する論理チャネルグループは異なる、ことを特徴とするバッファ状態を決定するための装置。
【請求項２５】
前記受信ユニットは、受信された前記バッファ状態情報に従って前記複製機能が構成またはアクティブ化されたＲＢに対応する複数の異なる論理チャネルグループを決定し、
前記端末の現在のバッファ状態、前記複製機能が構成またはアクティブ化されたＲＢに対応する異なる論理チャネルと論理チャネルグループ間の対応関係または計算式に従って、前記複製機能が構成またはアクティブ化されたＲＢベアラの異なる論理チャネルグループに対応するデータを、異なる物理リソース上で伝送するようにスケジューリングすることを特徴とする請求項２４に記載のバッファ状態を決定するための装置。
【請求項２６】
前記対応関係および/または前記計算式は、プロトコルに従って直接指定されるか、またはネットワーク側機器によって決定された後に前記端末のために構成され、
前記対応関係または前記計算式を前記端末に対して構成するモードは、
ブロードキャストまたは専用シグナリングを介して前記端末に前記対応関係または前記計算式の情報を運ぶ構成シグナリングを送信する、ことを特徴とする請求項２５に記載のバッファ状態を決定するための装置。
【国際調査報告】
2021513291.tif 000017
2021513291.tif 000018
2021513291.tif 000019
2021513291.tif 000020